(57)【特許請求の範囲】
【請求項１】
構造体であって、
少なくとも１つの天井部材と、
少なくとも４つの壁部材と、
少なくとも１つの床部材と
を備え、
前記少なくとも４つの壁部材の各々は、
前記少なくとも１つの天井部材に接合された第１の接合縁と、
前記少なくとも１つの床部材に接合された第２の接合縁と、
前記少なくとも４つの壁部材のうちの、前記少なくとも４つの壁部材の各々に隣接する１つに接合された第３の接合縁と、
前記少なくとも４つの壁部材のうちの、前記少なくとも４つの壁部材の各々に隣接する他の１つに接合された第４の接合縁と
を有し、
前記少なくとも１つの天井部材、前記少なくとも４つの壁部材、および前記少なくとも１つの床部材の各々は、発泡体から成り、前記少なくとも１つの床部材は、前記構造体の床を構成する第１の部分と、前記構造体の壁の一部を構成する第２の部分とを有し、前記第１の部分と前記第２の部分とは一体成形されている、構造体。
【請求項２】
構造体であって、
少なくとも１つの天井部材と、
少なくとも４つの壁部材と、
少なくとも１つの床部材と
を備え、
前記少なくとも４つの壁部材の各々は、
前記少なくとも１つの天井部材に接合された第１の接合縁と、
前記少なくとも１つの床部材に接合された第２の接合縁と、
前記少なくとも４つの壁部材のうちの、前記少なくとも４つの壁部材の各々に隣接する１つに接合された第３の接合縁と、
前記少なくとも４つの壁部材のうちの、前記少なくとも４つの壁部材の各々に隣接する他の１つに接合された第４の接合縁と
を有し、
前記少なくとも１つの天井部材、前記少なくとも４つの壁部材、および前記少なくとも１つの床部材の各々は、発泡体から成り、
前記少なくとも１つの天井部材は、第１の発泡倍率を有する第１の発泡体から成り、
前記少なくとも４つの壁部材は、第２の発泡倍率を有する第２の発泡体から成り、
前記少なくとも１つの床部材は、第３の発泡倍率を有する第３の発泡体から成り、
前記第３の発泡倍率は、前記第１の発泡倍率および前記第２の発泡倍率よりも小さい、構造体。
【請求項３】
構造体であって、
少なくとも１つの天井部材と、
少なくとも４つの壁部材と、
少なくとも１つの床部材と
を備え、
前記少なくとも４つの壁部材の各々は、
前記少なくとも１つの天井部材に接合された第１の接合縁と、
前記少なくとも１つの床部材に接合された第２の接合縁と、
前記少なくとも４つの壁部材のうちの、前記少なくとも４つの壁部材の各々に隣接する１つに接合された第３の接合縁と、
前記少なくとも４つの壁部材のうちの、前記少なくとも４つの壁部材の各々に隣接する他の１つに接合された第４の接合縁と
を有し、
前記少なくとも１つの天井部材、前記少なくとも４つの壁部材、および前記少なくとも１つの床部材の各々は、発泡体から成り、
前記少なくとも１つの天井部材は、第１の天井部材および第２の天井部材を含み、前記第１の天井部材および前記第２の天井部材はそれぞれ、第１の接合縁、第２の接合縁、第３の接合縁および第４の接合縁を含み、
前記少なくとも４つの壁部材は、第１の壁部材、第２の壁部材、第３の壁部材、および第４の壁部材を含み、
前記少なくとも１つの床部材は、第１の床部材および第２の床部材を含み、前記第１の床部材および前記第２の床部材はそれぞれ、第１の接合縁、第２の接合縁、第３の接合縁および第４の接合縁を含み、
前記第１の壁部材の前記第１の接合縁は、前記第１の天井部材の前記第１の接合縁に接合され、前記第１の壁部材の前記第２の接合縁は、前記第１の床部材の前記第１の接合縁に接合され、前記第１の壁部材の前記第３の接合縁は、前記第３の壁部材の前記第４の接合縁に接合され、前記第１の壁部材の前記第４の接合縁は、前記第４の壁部材の前記第３の接合縁に接合され、
前記第２の壁部材の前記第１の接合縁は、前記第２の天井部材の前記第２の接合縁に接合され、前記第２の壁部材の前記第２の接合縁は、前記第２の床部材の前記第２の接合縁に接合され、前記第２の壁部材の前記第３の接合縁は、前記第４の壁部材の前記第４の接合縁に接合され、前記第２の壁部材の前記第４の接合縁は前記第３の壁部材の前記第３の接合縁に接合され、
前記第３の壁部材の前記第１の接合縁は、前記第１の天井部材の前記第３の接合縁および前記第２の天井部材の前記第３の接合縁に接合され、前記第３の壁部材の前記第２の接合縁は、前記第１の床部材の前記第３の接合縁および前記第２の床部材の前記第３の接合縁に接合され、
前記第４の壁部材の前記第１の接合縁は、前記第１の天井部材の前記第４の接合縁および前記第２の天井部材の前記第４の接合縁に接合され、前記第４の壁部材の前記第２の接合縁は、前記第１の床部材の前記第４の接合縁および前記第２の床部材の前記第４の接合縁に接合され、
前記第１の天井部材の前記第２の接合縁は、前記第２の天井部材の前記第１の接合縁に接合され、
前記第１の床部材の前記第２の接合縁は、前記第２の床部材の前記第１の接合縁に接合され
ている、
構造体。
【請求項４】
拡張可能構造体であって、
複数の天井部材と、
少なくとも１つの拡張用天井部材と、
複数の壁部材と、
複数の床部材と、
少なくとも１つの拡張用床部材と
を備え、前記少なくとも１つの拡張用天井部材が前記複数の天井部材のうちの２つの間に接合されることにより、拡張された天井部を形成し、
前記少なくとも１つの拡張用床部材が前記複数の床部材のうちの２つの間に接合されることにより、拡張された床部を形成し、
前記拡張された天井部は、前記複数の壁部材によって、前記拡張された床部に接合され、
各部材は、発泡体から成り、前記複数の床部材および前記少なくとも１つの拡張用床部材は、前記構造体の床を構成する第１の部分と、前記構造体の壁の一部を構成する第２の部分とを有し、前記第１の部分と前記第２の部分とは一体成形されている、構造体。
【請求項５】
拡張可能構造体であって、
複数の天井部材と、
少なくとも１つの拡張用天井部材と、
複数の壁部材と、
複数の床部材と、
少なくとも１つの拡張用床部材と
を備え、前記少なくとも１つの拡張用天井部材が前記複数の天井部材のうちの２つの間に接合されることにより、拡張された天井部を形成し、
前記少なくとも１つの拡張用床部材が前記複数の床部材のうちの２つの間に接合されることにより、拡張された床部を形成し、
前記拡張された天井部は、前記複数の壁部材によって、前記拡張された床部に接合され、
各部材は、発泡体から成り、
前記複数の天井部材および前記少なくとも１つの拡張用天井部材は、第１の発泡倍率を有する第１の発泡体から成り、
前記複数の壁部材は、第２の発泡倍率を有する第２の発泡体から成り、
前記複数の床部材および前記少なくとも１つの拡張用床部材は、第３の発泡倍率を有する第３の発泡体から成り、
前記第３の発泡倍率は、前記第１の発泡倍率および前記第２の発泡倍率よりも小さい、構造体。
【請求項６】
前記複数の床部材の各々は、４つの接合縁を有し、前記複数の床部材の各々は、前記４つの接合縁のうちの３つが前記複数の壁部材に接合される形状を有し、
前記少なくとも１つの拡張用床部材の各々は、４つの接合縁を有し、前記少なくとも１つの拡張用床部材の各々は、前記４つの接合縁のうちの２つが前記複数の壁部材に接合される形状を有する、
請求項４または５に記載の構造体。
【請求項７】
前記複数の天井部材の各々は、４つの接合縁を有し、前記複数の天井部材の各々は、前記４つの接合縁のうちの３つが前記複数の壁部材に接合される形状を有し、
前記少なくとも１つの拡張用天井部材の各々は、４つの接合縁を有し、前記少なくとも１つの拡張用天井部材の各々は、前記４つの接合縁のうちの２つが前記複数の壁部材に接合される形状を有する、
請求項４〜６のいずれか一項に記載の構造体。
【請求項８】
前記構造体の底面積（ｍ２）と前記構造体の自重（ｋｇ）との比は、１：３０〜１：８０である、請求項１〜７のいずれか一項に記載の構造体。
【請求項９】
コーティングをさらに備え、前記コーティングは、少なくとも、前記構造体を構成する前記複数の部材の各々の接合部を覆うように構成されている、請求項１〜８のいずれか一項に記載の構造体。
【請求項１０】
前記コーティングは、前記構造体の外表面全体を覆うように形成されている、請求項９に記載の構造体。
【請求項１１】
前記構造体を構成する前記複数の部材の各々は、それぞれを覆うコーティングを備える、請求項１〜８のいずれか一項に記載の構造体。
【請求項１２】
前記コーティングの材料は、少なくとも防水性を有する、請求項９〜１１のいずれか一項に記載の構造体。
【請求項１３】
前記壁は、第１の開口部を有し、前記第１の開口部は、前記天井部材と、前記壁部材と、前記床部材とによって囲まれている、請求項１または４に記載の構造体。
【請求項１４】
前記壁は、第２の開口部を有し、前記第２の開口部は、前記天井部材と、前記壁部材とによって囲まれている、請求項１、４、１３のいずれか一項に記載の構造体。
【請求項１５】
前記構造体は、
前記構造体の前記床部材の外側に外部のデッキを構成する外部用床部材
をさらに備え、前記外部用床部材は、前記床部材に接合されている、請求項１〜１４のいずれか一項に記載の構造体。
【請求項１６】
前記発泡体は、発泡ポリスチレンを含む、請求項１〜１５のいずれか一項に記載の構造体。
【請求項１７】
構造体を作製する方法であって、
少なくとも１つの天井部材と、少なくとも４つの壁部材と、少なくとも１つの床部材とを提供することであって、各部材は、発泡体から成り、前記少なくとも１つの床部材は、前記構造体の床を構成する第１の部分と、前記構造体の壁の一部を構成する第２の部分とを有し、前記第１の部分と前記第２の部分とは一体成形されている、ことと、
前記少なくとも４つの壁部材を前記少なくとも１つの天井部材と前記少なくとも１つの床部材とに接合することであって、前記少なくとも４つの壁部材の各々は、少なくとも４つの接合縁を有し、前記少なくとも４つの接合縁は、前記少なくとも１つの天井部材に接合された第１の接合縁と、前記少なくとも１つの床部材に接合された第２の接合縁と、前記少なくとも４つの壁部材のうちの、前記少なくとも４つの壁部材の各々に隣接する１つに接合された第３の接合縁と、前記少なくとも４つの壁部材のうちの、前記少なくとも４つの壁部材の各々に隣接する他の１つに接合された第４の接合縁とを含む、ことと、
少なくとも、接合された各部材の接合部を覆うようにコーティングを施すことと
を含む、方法。
【請求項１８】
構造体を作製する方法であって、
少なくとも１つの天井部材と、少なくとも４つの壁部材と、少なくとも１つの床部材とを提供することであって、各部材は、発泡体から成り、前記少なくとも１つの天井部材は、第１の発泡倍率を有する第１の発泡体から成り、前記少なくとも４つの壁部材は、第２の発泡倍率を有する第２の発泡体から成り、前記少なくとも１つの床部材は、第３の発泡倍率を有する第３の発泡体から成り、前記第３の発泡倍率は、前記第１の発泡倍率および前記第２の発泡倍率よりも小さい、ことと、
前記少なくとも４つの壁部材を前記少なくとも１つの天井部材と前記少なくとも１つの床部材とに接合することであって、前記少なくとも４つの壁部材の各々は、少なくとも４つの接合縁を有し、前記少なくとも４つの接合縁は、前記少なくとも１つの天井部材に接合された第１の接合縁と、前記少なくとも１つの床部材に接合された第２の接合縁と、前記少なくとも４つの壁部材のうちの、前記少なくとも４つの壁部材の各々に隣接する１つに接合された第３の接合縁と、前記少なくとも４つの壁部材のうちの、前記少なくとも４つの壁部材の各々に隣接する他の１つに接合された第４の接合縁とを含む、ことと、
少なくとも、接合された各部材の接合部を覆うようにコーティングを施すことと
を含む、方法。
【請求項１９】
構造体を作製する方法であって、
複数の天井部材と、少なくとも１つの拡張用天井部材と、複数の壁部材と、複数の床部材と、少なくとも１つの拡張用床部材とを提供することであって、各部材は、発泡体から成り、前記複数の床部材および前記少なくとも１つの拡張用床部材は、前記構造体の床を構成する第１の部分と、前記構造体の壁の一部を構成する第２の部分とを有し、前記第１の部分と前記第２の部分とは一体成形されている、ことと、
前記少なくとも１つの拡張用天井部材を前記複数の天井部材のうちの２つの間に接合することにより、拡張された天井部を形成することと、
前記少なくとも１つの拡張用床部材を前記複数の床部材のうちの２つの間に接合することにより、拡張された床部を形成することと、
前記複数の壁部材を前記拡張された天井部および床部に接合することと、
少なくとも、接合された各部材の接合部を覆うようにコーティングを施すことと
を含む、方法。
【請求項２０】
構造体を作製する方法であって、
複数の天井部材と、少なくとも１つの拡張用天井部材と、複数の壁部材と、複数の床部材と、少なくとも１つの拡張用床部材とを提供することであって、各部材は、発泡体から成り、前記複数の天井部材および前記少なくとも１つの拡張用天井部材は、第１の発泡倍率を有する第１の発泡体から成り、前記複数の壁部材は、第２の発泡倍率を有する第２の発泡体から成り、前記複数の床部材および前記少なくとも１つの拡張用床部材は、第３の発泡倍率を有する第３の発泡体から成り、前記第３の発泡倍率は、前記第１の発泡倍率および前記第２の発泡倍率よりも小さい、ことと、
前記少なくとも１つの拡張用天井部材を前記複数の天井部材のうちの２つの間に接合することにより、拡張された天井部を形成することと、
前記少なくとも１つの拡張用床部材を前記複数の床部材のうちの２つの間に接合することにより、拡張された床部を形成することと、
前記複数の壁部材を前記拡張された天井部および床部に接合することと、
少なくとも、接合された各部材の接合部を覆うようにコーティングを施すことと
を含む、方法。
【発明の詳細な説明】
【技術分野】
【０００１】
本発明は、内部空間を提供する構造体、および複数の部材の接合によりそのような構造体を作製する方法に関するものである。
【背景技術】
【０００２】
従来から、居住空間を提供する構造体として、発泡スチロールあるいは繊維強化プラスチック（ＦＲＰ）でできた部品を組み合わせることにより組み立て可能とした構造物がある。例えば、特許文献１には、このような構造物として、土間コンクリートの基礎上に立設される組立式のドームが開示されている。
【先行技術文献】
【特許文献】
【０００３】
【特許文献１】国際公開第２００４／００５６３３号
【発明の概要】
【発明が解決しようとする課題】
【０００４】
本発明は、内部空間を提供する構造体として水上浮遊可能な構造体を得ること、およびこのような構造体の作製方法を得ることを目的とする。
【課題を解決するための手段】
【０００５】
本発明は、例えば、以下の項目を提供する。
（項目１）
構造体であって、
少なくとも１つの天井部材と、
少なくとも４つの壁部材と、
少なくとも１つの床部材と
を備え、
前記少なくとも４つの壁部材の各々は、
前記少なくとも１つの天井部材に接合された第１の接合縁と、
前記少なくとも１つの床部材に接合された第２の接合縁と、
前記少なくとも４つの壁部材のうちの、前記少なくとも４つの壁部材の各々に隣接する１つに接合された第３の接合縁と、
前記少なくとも４つの壁部材のうちの、前記少なくとも４つの壁部材の各々に隣接する他の１つに接合された第４の接合縁と
を有し、
前記少なくとも１つの天井部材、前記少なくとも４つの壁部材、および前記少なくとも１つの床部材の各々は、発泡体から成る、構造体。
（項目２）
前記少なくとも１つの天井部材は、第１の天井部材および第２の天井部材を含み、前記第１の天井部材および前記第２の天井部材はそれぞれ、第１の接合縁、第２の接合縁、第３の接合縁および第４の接合縁を含み、
前記少なくとも４つの壁部材は、第１の壁部材、第２の壁部材、第３の壁部材、および第４の壁部材を含み、
前記少なくとも１つの床部材は、第１の床部材および第２の床部材を含み、前記第１の床部材および前記第２の床部材はそれぞれ、第１の接合縁、第２の接合縁、第３の接合縁および第４の接合縁を含み、
前記第１の壁部材の前記第１の接合縁は、前記第１の天井部材の前記第１の接合縁に接合され、前記第１の壁部材の前記第２の接合縁は、前記第１の床部材の前記第１の接合縁に接合され、前記第１の壁部材の前記第３の接合縁は、前記第３の壁部材の前記第４の接合縁に接合され、前記第１の壁部材の前記第４の接合縁は、前記第４の壁部材の前記第３の接合縁に接合され、
前記第２の壁部材の前記第１の接合縁は、前記第２の天井部材の前記第２の接合縁に接合され、前記第２の壁部材の前記第２の接合縁は、前記第２の床部材の前記第２の接合縁に接合され、前記第２の壁部材の前記第３の接合縁は、前記第４の壁部材の前記第４の接合縁に接合され、前記第２の壁部材の前記第４の接合縁は前記第３の壁部材の前記第３の接合縁に接合され、
前記第３の壁部材の前記第１の接合縁は、前記第１の天井部材の前記第３の接合縁および前記第２の天井部材の前記第３の接合縁に接合され、前記第３の壁部材の前記第２の接合縁は、前記第１の床部材の前記第３の接合縁および前記第２の床部材の前記第３の接合縁に接合され、
前記第４の壁部材の前記第１の接合縁は、前記第１の天井部材の前記第４の接合縁および前記第２の天井部材の前記第４の接合縁に接合され、前記第４の壁部材の前記第２の接合縁は、前記第１の床部材の前記第４の接合縁および前記第２の床部材の前記第４の接合縁に接合され、
前記第１の天井部材の前記第２の接合縁は、前記第２の天井部材の前記第１の接合縁に接合され、
前記第１の床部材の前記第２の接合縁は、前記第２の床部材の前記第１の接合縁に接合され
ている、
項目１に記載の構造体。
（項目３）
拡張可能構造体であって、
複数の天井部材と、
少なくとも１つの拡張用天井部材と、
複数の壁部材と、
複数の床部材と、
少なくとも１つの拡張用床部材と
を備え、前記少なくとも１つの拡張用天井部材が前記複数の天井部材のうちの２つの間に接合されることにより、拡張された天井部を形成し、
前記少なくとも１つの拡張用床部材が前記複数の床部材のうちの２つの間に接合されることにより、拡張された床部を形成し、
前記拡張された天井部は、前記複数の壁部材によって、前記拡張された床部に接合され、
各部材は、発泡体から成る、構造体。
（項目４）
前記複数の床部材の各々は、４つの接合縁を有し、前記複数の床部材の各々は、前記４つの接合縁のうちの３つが前記複数の壁部材に接合される形状を有し、
前記少なくとも１つの拡張用床部材の各々は、４つの接合縁を有し、前記少なくとも１つの拡張用床部材の各々は、前記４つの接合縁のうちの２つが前記複数の壁部材に接合される形状を有する、
項目３に記載の構造体。
（項目５）
前記複数の天井部材の各々は、４つの接合縁を有し、前記複数の天井部材の各々は、前記４つの接合縁のうちの３つが前記複数の壁部材に接合される形状を有し、
前記少なくとも１つの拡張用天井部材の各々は、４つの接合縁を有し、前記少なくとも１つの拡張用天井部材の各々は、前記４つの接合縁のうちの２つが前記複数の壁部材に接合される形状を有する、
項目３または項目４に記載の構造体。
（項目６）
前記構造体の底面積（ｍ２）と前記構造体の自重（ｋｇ）との比は、１：３０〜１：８０である、項目１〜５のいずれか一項に記載の構造体。
（項目７）
コーティングをさらに備え、前記コーティングは、少なくとも、前記構造物を構成する前記複数の部材の各々の接合部を覆うように構成されている、項目１〜６のいずれか一項に記載の構造体。
（項目８）
前記コーティングは、前記構造物の外表面全体を覆うように形成されている、項目７に記載の構造体。
（項目９）
前記構造体を構成する前記複数の部材の各々は、それぞれを覆うコーティングを備える、項目１〜６のいずれか一項に記載の構造体。
（項目１０）
前記コーティングの材料は、少なくとも防水性を有する、項目７〜９のいずれか一項に記載の構造体。
（項目１１）
前記床部材は、前記構造体の床を構成する第１の部分と、前記構造体の壁の一部を構成する第２の部分とを有し、前記第１の部分と前記第２の部分とは一体成形されている、項目１〜１０のいずれか一項に記載の構造体。
（項目１２）
前記壁は、第１の開口部を有し、前記第１の開口部は、前記天井部材と、前記壁部材と、前記床部材とによって囲まれている、項目１１に記載の構造体。
（項目１３）
前記壁は、第２の開口部を有し、前記第２の開口部は、前記天井部材と、前記壁部材とによって囲まれている、項目１１または項目１２に記載の構造体。
（項目１４）
前記構造体は、
前記構造体の前記床部材の外側に外部のデッキを構成する外部用床部材
をさらに備え、前記外部用床部材は、前記床部材に接合されている、項目１〜１３のいずれか一項に記載の構造体。
（項目１５）
前記天井部材は、第１の発泡倍率を有する第１の発泡体から成り、
前記壁部材は、第２の発泡倍率を有する第２の発泡体から成り、
前記床部材は、第３の発泡倍率を有する第３の発泡体から成り、
前記第３の発泡倍率は、前記第１の発泡倍率および前記第２の発泡倍率よりも小さい、項目１〜１４のいずれか一項に記載の構造体。
（項目１６）
前記発泡体は、発泡ポリスチレンを含む、項目１〜１５のいずれか一項に記載の構造体。
（項目１７）
構造体を作製する方法であって、
少なくとも１つの天井部材と、少なくとも４つの壁部材と、少なくとも１つの床部材とを提供することであって、各部材は、発泡体から成る、ことと、
前記少なくとも４つの壁部材を前記少なくとも１つの天井部材と前記少なくとも１つの床部材とに接合することであって、前記少なくとも４つの壁部材の各々は、少なくとも４つの接合縁を有し、前記少なくとも４つの接合縁は、前記少なくとも１つの天井部材に接合された第１の接合縁と、前記少なくとも１つの床部材に接合された第２の接合縁と、前記少なくとも４つの壁部材のうちの、前記少なくとも４つの壁部材の各々に隣接する１つに接合された第３の接合縁と、前記少なくとも４つの壁部材のうちの、前記少なくとも４つの壁部材の各々に隣接する他の１つに接合された第４の接合縁とを含む、ことと、
少なくとも、接合された各部材の接合部を覆うようにコーティングを施すことと
を含む、方法。
（項目１８）
構造体を作製する方法であって、
複数の天井部材と、少なくとも１つの拡張用天井部材と、複数の壁部材と、複数の床部材と、少なくとも１つの拡張用床部材とを提供することであって、各部材は、発泡体から成る、ことと、
前記少なくとも１つの拡張用天井部材を前記複数の天井部材のうちの２つの間に接合することにより、拡張された天井部を形成することと、
前記少なくとも１つの拡張用床部材を前記複数の床部材のうちの２つの間に接合することにより、拡張された床部を形成することと、
前記複数の壁部材を前記拡張された天井部および床部に接合することと、
少なくとも、接合された各部材の接合部を覆うようにコーティングを施すことと
を含む、方法。
【発明の効果】
【０００６】
本発明によれば、内部空間を提供する構造体として水上浮遊可能な構造体を得ること、およびこのような構造体の作製方法を得ることができる。
【図面の簡単な説明】
【０００７】
【図１】図１は、本発明の構造体を模式的に示す図であり、構造体における２つの天井部材、４つの壁部材、および２つの床部材の配置、および各部材における第１〜第４の接合縁の位置関係を示している。
【図２】図２は、本発明の実施形態１による構造体１００を説明するための斜視図である。
【図３】図３は、図２に示す構造体１００の前後の壁部材を説明するための平面図である。
【図４】図４は、図２に示す構造体１００の左右の壁部材を説明するための平面図である。
【図５】図５は、図２に示す構造体１００の前後の天井部材を説明するための平面図である。
【図６】図６は、図２に示す構造体１００の前後の床部材を説明するための平面図である。
【図７】図７は、図２に示す構造体１００の具体的な構造を説明するための図であり、この構造体１００における図２のＺ方向に垂直な断面の構造および図２のＸ方向に垂直な断面の構造を示す。
【図８】図８は、図２に示す構造体１００の具体的な構造を説明するための図であり、この構造体１００における図２のＹ方向に垂直な断面の構造を示す。
【図９】図９は、図２に示す構造体１００の変形例１である構造体１００ａを説明するための図である。
【図１０】図１０は、図２に示す構造体１００を組み立てる方法を工程順に説明するための斜視図である。
【図１０Ａ】図１０Ａは、図２に示す構造体１００の組み立てた状態と、構造体１００の構成部材をコンパクトに重ね合わせた状態とを対比して示す斜視図である。
【図１０Ｂ】図１０Ｂは、構造体１００の構成部材をコンパクトに重ね合わせてトレーラ上に積載した状態を示す斜視図である。
【図１１】図１１は、図２に示す構造体１００の変形例２である構造体１００ｂを説明するための斜視図であり、この構造体１００ｂの組立方法を示している。
【図１２】図１２は、図１１に示す方法で組み立てた構造体１００ｂを水上住宅として利用している様子を示す斜視図である。
【図１３】図１３は、本発明の実施形態２による構造体２００を説明するための斜視図である。
【図１４】図１４は、図１３に示す構造体２００の左右の壁部材を説明するための平面図である。
【図１５】図１５は、図１３に示す構造体２００の拡張用天井部材を説明するための平面図である。
【図１６】図１６は、図１３に示す構造体２００の拡張用床部材を説明するための平面図である。
【図１７】図１７は、図１３に示す構造体２００の具体的な構造を説明するための図であり、構造体２００における図１３のＺ方向に垂直な断面の構造および図１３のＸ方向に垂直な断面の構造を示す。
【図１８】図１８は、図１３に示す構造体２００の具体的な構造を説明するための図であり、構造体２００における図１３のＹ方向に垂直な断面の構造を示す。
【図１９】図１９は、図１３に示す構造体２００の変形例である構造体２００ａを説明するための図である。
【図２０】図２０は、複数の非拡張型構造体（図２の構造体）１００と複数の拡張型構造体（図１３の構造体）２００を組み合わせて得られる複数の構造体のレイアウトの一例を示す斜視図である。
【図２１】図２１は、複数の非拡張型構造体と複数の拡張型構造体とを岸壁に係留した桟橋の両側に配置してリゾート施設として利用する場合を説明するための模式図である。
【図２２】実施例において作製された構造体を実際に水上に浮かべた際の写真を示す図。
【発明を実施するための形態】
【０００８】
本明細書において、「約」とは、後に続く数字の±１０％の範囲内をいう。
【０００９】
〔本発明の第１の構造体〕
本発明の第１の構造体は、内部空間を提供する、水上浮遊可能な構造体を得ることを課題とし、
構造体であって、
少なくとも１つの天井部材と、
少なくとも４つの壁部材と、
少なくとも１つの床部材と
を備え、
少なくとも４つの壁部材の各々は、
少なくとも１つの天井部材に接合された第１の接合縁と、
少なくとも１つの床部材に接合された第２の接合縁と、
少なくとも４つの壁部材のうちの、少なくとも４つの壁部材の各々に隣接する１つに接合された第３の接合縁と、
少なくとも４つの壁部材のうちの、少なくとも４つの壁部材の各々に隣接する他の１つに接合された第４の接合縁とを有し、
少なくとも１つの天井部材、少なくとも４つの壁部材、および少なくとも１つの床部材の各々は、発泡体から成る、構造体を提供することにより、上記の課題を解決したものである。
【００１０】
このような本発明の第１の構造体は、少なくとも１つの天井部材、少なくとも４つの壁部材、および少なくとも１つの床部材を有し、それぞれの部材が発泡体から成り、かつ、隣接する部材と接合された接合縁を有するものであれば、その他の構成は特に限定されるものではない。
【００１１】
さらに、この構造体は拡張性を有しており、この構造体では、４つの壁部材のうちの対向する２つの壁部材の長さ方向に構造体の寸法を拡張することが簡単である。
すなわち、４つの壁部材のうちの対向する２つの壁部材を、より長さの長いものに置き換えたり、対向する２つの壁部材にそれぞれ同じ形状の壁部材を継ぎ足したりすることにより構造体の側壁の寸法を拡張できる。また、構造体の側壁の寸法を拡張する際には、天井部材および床部材をそれぞれ、壁部材の置き換えおよび継ぎ足しと同様に、より寸法の長いものに置き換えたり、天井部材および床部材に同じ形状の天井部材および床部材を継ぎ足したりすることにより、構造体の天井および床の寸法を拡張することができる。
【００１２】
図１は、本発明の第１の構造体を模式的に示す図であり、構造体における２つの天井部材、４つの壁部材、および２つの床部材の配置、および各部材における第１〜第４の接合縁の位置関係を示している。
【００１３】
ここでは、ドット表示の壁部材を第１の壁部材（前壁部材）１２０ａとして、図１の紙面において第１の壁部材の後側、左側、右側に位置する壁部材を順に第２〜第４の壁部材１２０ｂ〜１２０ｄとしている。また、天井部材に関しては、紙面の前後に位置する２つの天井部材を第１の天井部材（前天井部材）１１０ａおよび第２の天井部材（後天井部材）１１０ｂとし、床部材に関しては、紙面の前後に位置する２つの床部材を第１の床部材（前床部材）１３０ａおよび第２の床部材（後床部材）１３０ｂとしている。
【００１４】
また、各壁部材の４つの接合縁は、各壁部材に向かって上下左右の順に第１〜第４の接合縁（１）〜（４）とし、各天井部材の４つの接合縁は、各天井部材において、図１の紙面の手前側、奥手側、左側、右側の順に第１〜第４の接合縁（１）〜（４）とし、各床部材の４つの接合縁は、各床部材において、図１の紙面の手前側、奥手側、左側、右側の順に第１〜第４の接合縁（１）〜（４）としている。
【００１５】
例えば、１つの実施形態では、少なくとも１つの天井部材は、第１の天井部材１１０ａおよび第２の天井部材１１０ｂを含み、少なくとも４つの壁部材は、第１の壁部材１２０ａ〜第４の壁部材１２０ｄを含み、少なくとも１つの床部材は、第１の床部材１３０ａおよび第２の床部材１３０ｂを含んでいてもよい。
【００１６】
さらに、１つの実施形態では、第１の天井部材１１０ａおよび第２の天井部材１１０ｂはそれぞれ、第１の接合縁（１）〜第４の接合縁（４）を含み、第１の壁部材１２０ａ〜第４の壁部材１２０ｄはそれぞれ、第１の接合縁（１）〜第４の接合縁（４）を含み、第１の床部材１３０ａおよび第２の床部材１３０ｂはそれぞれ、第１の接合縁（１）〜第４の接合縁（４）を含んでいてもよい。
【００１７】
ここで、第１の壁部材１２０ａの第１の接合縁（１）は、第１の天井部材１１０ａの第１の接合縁（１）に接合され、第１の壁部材１２０ａの第２の接合縁（２）は、第１の床部材１３０ａの第１の接合縁（１）に接合され、第１の壁部材１２０ａの第３の接合縁（３）は、第３の壁部材１２０ｃの第４の接合縁（４）に接合され、第１の壁部材１２０ａの第４の接合縁（４）は、第４の壁部材１２０ｄの第３の接合縁（３）に接合されていてもよい。
【００１８】
また、第２の壁部材１２０ｂの第１の接合縁（１）は、第２の天井部材１１０ｂの第２の接合縁（２）に接合され、第２の壁部材１２０ｂの第２の接合縁（２）は、第２の床部材１３０ｂの第２の接合縁（２）に接合され、第２の壁部材１２０ｂの第３の接合縁（３）は、第４の壁部材１２０ｄの第４の接合縁（４）に接合され、第２の壁部材１２０ｂの第４の接合縁（４）は第３の壁部材１２０ｃの第３の接合縁（３）に接合されていてもよい。
【００１９】
さらに、第３の壁部材１２０ｃの第１の接合縁（１）は、第１の天井部材１１０ａの第３の接合縁（３）および第２の天井部材１１０ｂの第３の接合縁（３）に接合され、第３の壁部材１２０ｃの第２の接合縁（２）は、第１の床部材１３０ａの第３の接合縁（３）および第２の床部材１３０ｂの第３の接合縁（３）に接合されていてもよい。
【００２０】
第４の壁部材１２０ｄの第１の接合縁（１）は、第１の天井部材１１０ａの第４の接合縁（４）および第２の天井部材１１０ｂの第４の接合縁（４）に接合され、第４の壁部材１２０ｄの第２の接合縁（２）は、第１の床部材１１０ａの第４の接合縁（４）および第２の床部材１３０ｂの第４の接合縁（４）に接合されていてもよい。
【００２１】
さらに、第１の天井部材１１０ａの第２の接合縁（２）は、第２の天井部材１１０ｂの第１の接合縁（１）に接合され、第１の床部材１３０ａの第２の接合縁（２）は、第２の床部材１３０ｂの第１の接合縁（１）に接合されていてもよい。
【００２２】
このように、本発明の第１の構造体では、天井および壁のみならず、床ひいては構造体の底面も、発泡体から構成される。本発明の第１の構造体は、天井部材、壁部材、床部材以外にフレーム・骨組みを必要とせず、従って、窓および扉以外の全ての部分を発泡体で構成することができる。これにより、本発明の第１の構造体は、軽量であり、水上浮遊可能となる。
【００２３】
例えば、水上浮遊可能な構造体は、構造体自体の自重に加えて所定の重量を支持して水上に浮遊することができる。例えば、構造体は、底面の単位面積（１ｍ２）当たり約１００ｋｇ〜約５００ｋｇの重量を支持して、水上に浮遊することが可能である。構造体の底面積と自重に加えて支持可能な重量との比（底面積（ｍ２）：重量（ｋｇ））は、例えば、１：６０〜１：８００であり、好ましくは、１：１００〜１：５００であり、より好ましくは、１：１００〜１：２００である。
【００２４】
例えば、本発明の構造体がその自重に加えて単位面積（１ｍ２）当たり約１００ｋｇの重量を支持可能である場合（すなわち、底面積（ｍ２）：重量（ｋｇ）＝１：１００）、１ｍ２当たり、大人１人あるいは人が持てる程度の家具の重量（約１００ｋｇ以下）を支持できることとなる。例えば、本発明の構造体がその自重に加えて単位面積（１ｍ２）当たり約１００ｋｇ〜約２００ｋｇの重量を支持可能である場合（すなわち、底面積（ｍ２）：重量（ｋｇ）＝１：１００〜１：２００）、１ｍ２の広さの床面に大人２名（約１００ｋｇ〜約２００ｋｇ）を余裕で収容でき、また、１ｍ２の広さの床面に重量のある家具とその中身とを合わせた重量（約１００ｋｇ〜約２００ｋｇ）を余裕で収容できる。これにより、構造体を水上での居住空間として利用可能となる。
【００２５】
構造体は沈み込んだ分だけ浮力を発生させる。例えば、構造体は、底厚分（約１５０ｍｍ）だけ沈み込むことにより、単位面積（１ｍ２）当たり約１５０ｋｇの浮力を発生させることができ、単位面積当たり約１５０ｋｇの支持重量を達成することができる（すなわち、底面積（ｍ２）：総重量（ｋｇ）＝１：１５０）。
【００２６】
例えば、構造体の底面の面積を約１６ｍ２（約４ｍ×約４ｍ）と想定すると、約１５０ｍｍ沈み込むことにより約２４００ｋｇの浮力が発生する。
【００２７】
発明者の経験上、発泡体で構成された簡易家屋（底面積約１０ｍ２）の自重が約６００ｋｇであることを考慮すると、底面積が約１６ｍ２である構造体の自重は約１０００ｋｇ（≒（約６００／約１０）×約１６）となり、構造体がその自重に加えて支持可能な重量は、約２４００ｋｇ−約１０００ｋｇで概ね１４００ｋｇとなる。従って、構造体がその自重に加えて支持可能な単位面積（１ｍ２）当たりの重量は、約１００ｋｇ（≒１４００／１６）となる（すなわち、底面積（ｍ２）：重量（ｋｇ）＝１：８０〜１：１００）。
【００２８】
構造体の床部材が床部材の周囲に沿って設けられた腰壁を有する場合、腰壁の高さまでは沈み込むことが可能である。腰壁の高さまでは、腰壁の存在により、水が構造体内に浸入しないからである。すなわち、構造体は、腰壁の高さ分に相当する最大支持重量を有することができる。例えば、腰壁の高さが約５００ｍｍである場合、単位面積（１ｍ２）当たり約５００ｋｇの重量を支持可能である（すなわち、底面積（ｍ２）：総重量（ｋｇ）＝１：５００）。
【００２９】
これは、底面積が約１６ｍ２（約４ｍ×約４ｍ）である構造体では、約８０００ｋｇ（約５００ｋｇ×約１６ｍ２）の浮力を発生することを意味する。構造体の自重を約１０００ｋｇとすると、構造体は、その自重を差し引いても約７０００ｋｇの重量を支持でき、単位面積（１ｍ２）あたり約４００ｋｇ（約７０００ｋｇ／約１６ｍ２）の重量を支持可能となる（すなわち、底面積（ｍ２）：重量（ｋｇ）＝１：４００〜１：５００）。
【００３０】
なお、腰壁自体の高さは、床部材の厚さに腰壁の高さを加えた寸法が約５００ｍｍ以上となる高さ（約３５０ｍｍ以上）でもよく、例えば、床部材の厚さが約１５０ｍｍである場合に、腰壁の高さは約３５０ｍｍ以上の高さ、例えば、約６５０ｍｍであってもよい。
【００３１】
構造体は、水上浮遊可能な性質を達成できるような重量を有する。例えば、構造体は、自重に加えて底面の単位面積（１ｍ２）当たり約１００ｋｇ〜約５００ｋｇの重量を支持して、水上に浮遊することが可能なような重量を有する。構造体の底面積と構造体の自重との比（底面積（ｍ２）：自重（ｋｇ））は、上述した簡易家屋の場合（約１０ｍ２／約６００ｋｇ）を考慮して、例えば、１：３０〜１：８０であり、好ましくは、１：４０〜１：７０であり、より好ましくは、１：５０〜１：６５である。
【００３２】
例えば、上述したように、底厚分（約１５０ｍｍ）だけ沈み込むことにより、単位面積（１ｍ２）当たり約１５０ｋｇの浮力を発生させることができるため、例えば、底面積（ｍ２）：自重（ｋｇ）＝１：３０の場合には、構造体は、自重に加えて約１２０ｋｇの重量を支持可能であり、底面積（ｍ２）：自重（ｋｇ）＝１：８０の場合には、構造体は、自重に加えて約７０ｋｇの重量を支持可能である。
【００３３】
また、発泡体が備える防水および防湿の性質により、構造体を支持する面（例えば、地面、水面など）からの水および湿気の浸入を防ぐことができる。これにより、例えば、本発明の第１の構造体を水上に設置する場合には、水が浸入しにくい。また、例えば、本発明の第１の構造体を陸地に設置する場合には、コンクリートなどの基礎またはブロックなどによる底上げを必要としない。
【００３４】
また、本発明の第１の構造体では、床部材が前床部材１３０ａと後床部材１３０ｂとに分れ、天井部材が前天井部材１１０ａと後天井部材１１０ｂとに分れているのに対して、床部材と天井部材との間に挟まれている左壁部材１２０ｃおよび右壁部材１２０ｄはそれぞれ、前床部材１３０ａおよび後床部材１３０に跨り、かつ、前天井部材１１０ａと後天井部材１１０ｂとに跨る構造となっているので、第１の構造体では、２つの部材に分れている床部材および天井部材が左壁部材１２０ｃおよび右壁部材１２０ｄにより補強される構造となっている。
【００３５】
〔本発明の第２の構造体〕
本発明の第２の構造体は、内部空間を提供する、水上浮遊可能な構造体を得ることを課題とし、
拡張可能な構造体であって、
複数の天井部材と、
少なくとも１つの拡張用天井部材と、
複数の壁部材と、
複数の床部材と、
少なくとも１つの拡張用床部材と
を備え、少なくとも１つの拡張用天井部材が複数の天井部材のうちの２つの間に接合されることにより、拡張された天井部を形成し、
少なくとも１つの拡張用床部材が複数の床部材のうちの２つの間に接合されることにより、拡張された床部を形成し、
拡張された天井部は、複数の壁部材によって、拡張された床部に接合され、
各部材は、発泡体から成る、構造体を提供することにより、上記の課題を解決したものである。
【００３６】
従って、本発明の第２の構造体は、拡張可能なものであって、複数の天井部材、複数の壁部材、および複数の床部材とともに、少なくとも１つの拡張用天井部材と、少なくとも１つの拡張用床部材とを有し、それぞれの部材が発泡体から成り、拡張された天井部が、少なくとも１つの拡張用天井部材が２つの天井部材の間に接合されることにより形成され、拡張された床部が、少なくとも１つの拡張用床部材が２つの床部材の間に接合されることにより形成され、拡張された天井部および拡張された床部が複数の壁部材に接合されたものであれば、その他の構成は限定されるものではない。
【００３７】
例えば、第２の構造体の１つの実施形態において、複数の床部材の各々は、４つの接合縁を有し、各床部材の４つの接合縁のうちの３つが複数の壁部材に接合される形状を有し、少なくとも１つの拡張用床部材の各々は、４つの接合縁を有し、各拡張用床部材は、４つの接合縁のうちの２つが複数の壁部材に接合される形状を有していてもよい。
【００３８】
また、第２の構造体の１つの実施形態において、複数の天井部材の各々は、４つの接合縁を有し、各天井部材は、４つの接合縁のうちの３つが複数の壁部材に接合される形状を有し、少なくとも１つの拡張用天井部材の各々は、４つの接合縁を有し、各拡張用天井部材は、４つの接合縁のうちの２つが複数の壁部材に接合される形状を有していてもよい。
【００３９】
さらに、第１の構造体あるいは第２の構造体は、構造物を構成する複数の部材の各々の接合部を覆うコーティングを有していてもよい。これにより、接合部の強度を向上させることができる。さらに、このコーティングは、構造物の外表面全体を覆うように形成されていてもよい。これにより、構造物の全体的な構造強度を向上させることができる。
【００４０】
上述したコーティングの材料は、少なくとも防水性を有することが好ましい。コーティングの材料が防水性を有することにより、各部材の接合部から雨水などが浸入するのを防止することが可能となる。また、水上に浮遊する際にも、各部材の接合部から水が浸入するのを防止することが可能となる。
【００４１】
あるいは、第１の構造体あるいは第２の構造体を構成する複数の部材の各々は、それぞれを覆うコーティングを備えていてもよい。これにより、複数の部材の各々の強度、ひいては、構造物の全体的な構造強度を向上させることができる。この場合には、各部材の接合部は、コーキング材でコーキングされてもよい。これにより、接合部の強度を向上させることができる。コーキング材を防水性のものとすることにより、各部材の接合部から雨水などが浸入するのを防止することが可能となる。また、水上に浮遊する際にも、各部材の接合部から水が浸入するのを防止することが可能となる。
【００４２】
また、第１の構造体あるいは第２の構造体において、床部材は、構造体の床を構成する第１の部分（床板部）と、構造体の壁の一部を構成する第２の部分（腰壁）とを有し、第１の部分と第２の部分とは一体成形されていることが好ましい。この場合、構造体の床と壁との間に接合部（継ぎ目）が存在しないため、継ぎ目を通して下からの浸水（例えば、水上に浮かべられたときに下から水が浸入すること、陸地に設置されたときに下から湿気が浸入すること）を回避することが可能となる。
【００４３】
さらに、１つの実施形態において、第１の構造体あるいは第２の構造体の壁は、第１の開口部を有し、第１の開口部は、天井部材と、壁部材と、床部材とによって囲まれていてもよいし、さらには、壁は、第２の開口部を有し、第２の開口部は、天井部材と、壁部材とによって囲まれていてもよい。ただし、第１の開口部あるいは第２の開口部は、天井部材と、壁部材とによって囲まれているものではなく、第１の開口部あるいは第２の開口部は、壁部材の内側に含まれていてもよい。
【００４４】
第１の構造体あるいは第２の構造体は、構造体の床部材の外側に配置されて外部のデッキを構成する外部用床部材をさらに備え、外部用床部材が床部材に接合されたものであることが好ましい。この場合、第１の構造体あるいは第２の構造体の床を外部用床部材によりデッキ部分として拡張することができる。デッキ部分は、床面積を増加させることのみならず、構造体の浮力を増大することもできる。
【００４５】
第１の構造体あるいは第２の構造体において、天井部材、壁部材、および床部材はそれぞれ発泡体からなり、床部材を構成する発泡体の発泡倍率が、天井部材を構成する発泡体の発泡倍率および壁部材を構成する発泡体の発泡倍率より小さいことが好ましい。床部材の発泡体の発泡倍率を天井部材および壁部材の発泡体の発泡倍率より小さくすることで、床部材の密度を天井部材および床部材の密度より高めて構造体の重心を下げることができ、構造体が陸地に設置された場合あるいは水上に浮かべられたときの安定性を高めることができる。
【００４６】
ここで、天井部材、壁部材、および床部材を構成する発泡体は、発泡ポリスチレンなどの発泡樹脂を含むものでもよいが、発泡体は、樹脂原料を発泡させたものであれば樹脂の材料が限定されるものではなく、任意であり得る。例えば、発泡ポリスチレン以外の発泡樹脂としては、例えば、発泡ポリプロピレン、発泡ポリウレタン、あるいは発泡ポリオレフィンなどが挙げられる。
【００４７】
さらに、上述したコーティング材は、防水性を有するものであるが、コーティング材料は、不燃性を有するものであってもよい。国によっては法律（日本の場合は建築基準法）で、住居として利用する構造物の外装にはある程度の不燃性が求められる場合があるからである。
【００４８】
さらに、国によっては、不燃性のコーティングだけで建築基準を満たすことができない場合も想定され、そのような場合には、現地で構造体を組み立てた後に、構造体の外装に不燃性を付与するための処理が必要となる。
【００４９】
不燃性を付与するための処理は、例えば、組み立てた構造体の表面に樹脂モルタルを吹き付けるという処理であるが、その他にも、不燃性のパネルや鋼板（例えば、ガルバリウム鋼板（登録商標））を、組み立てた構造体の表面に貼り付ける処理などが考えられる。
【００５０】
また、第１の構造体１００あるいは第２の構造体２００は、床部材、壁部材および天井部材の組み合わせで１つの箱体となっているので、この構造体は底を有することから、基礎が無くても、概ね水平な場所であれば、コンテナのように、置くだけで設置することができる。
【００５１】
なお、住居として用いる構造体に関しては、日本のように法律（建築基準法）で、コンクリート製の基礎が必要とされる国がある一方で、住居として用いる構造体を置くだけまたは金具などの固定具で地面に固定するだけで住宅として法律で認められ得る国もあり、このような国では、構造体が底を有することで置くだけで設置可能であるという構造体の利点は、大きな長所となる。
【００５２】
〔本発明の第１の構造体の組み立て方法〕
本発明の第１の構造体の組み立てる方法は、少なくとも以下の第１の工程および第２の工程の２つの工程を含むものであればよい。
【００５３】
第１の工程は、少なくとも１つの天井部材と、少なくとも４つの壁部材と、少なくとも１つの床部材とを提供する工程である。ここで、各部材は、発泡体から成る。
【００５４】
第２の工程は、少なくとも４つの壁部材を少なくとも１つの天井部材と少なくとも１つの床部材とに接合する工程である。ここで、少なくとも４つの壁部材の各々は、少なくとも４つの接合縁を有し、少なくとも４つの接合縁は、少なくとも１つの天井部材に接合された第１の接合縁と、少なくとも１つの床部材に接合された第２の接合縁と、少なくとも４つの壁部材うちの、少なくとも４つの壁部材の各々に隣接する１つに接合された第３の接合縁と、少なくとも４つの壁部材のうちの、少なくとも４つの壁部材の各々に隣接する他の１つに接合された第４の接合縁とを含む。
【００５５】
本発明の第１の構造体を組み立てる方法は、例えば、以下の第３の工程を含んでもよい。
【００５６】
第３の工程は、少なくとも、接合された各部材の接合部を覆うようにコーティングを施す工程である。
【００５７】
これにより、本発明の第１の構造体は、接合された各部材の接合部を覆うコーティングを備えることができ、コーディング材料は目的に応じて任意の材料を選択し得る。好ましくは、防水性または高強度が得られる材料が選択される。コーティングを行うことにより、例えば、接合部の強度の向上が図れる。コーティングの材料が防水性を有することにより、各部材の接合部から雨水などが浸入するのを防止することが可能となる。また、水上に浮遊する際にも、各部材の接合部から水が浸入するのを防止することが可能となる。
具体的なコーティング材料として、例えば、防水性を有するウレタン樹脂が挙げられるがこれに限定されない。コーティング材料は防水性および高強度が得られるポリウレア樹脂が挙げられる。
【００５８】
〔本発明の第２の構造体の組み立て方法〕
本発明の第２の構造体の組み立てる方法は、少なくとも以下の第１〜第４の４つの工程を含むものであればよい。
【００５９】
第１の工程は、複数の天井部材と、少なくとも１つの拡張用天井部材と、複数の壁部材と、複数の床部材と、少なくとも１つの拡張用床部材とを提供する工程である。ここで、各部材は、発泡体から成る。
【００６０】
第２の工程は、少なくとも１つの拡張用天井部材を複数の天井部材のうちの２つの間に接合することにより、拡張された天井部を形成する工程である。
【００６１】
第３の工程は、少なくとも１つの拡張用床部材を複数の床部材のうちの２つの間に接合することにより、拡張された床部を形成する工程である。
【００６２】
第４の工程は、複数の壁部材を拡張された天井部および床部に接合する工程である。
【００６３】
本発明の第２の構造体を組み立てる方法は、例えば、以下の第５の工程を含んでもよい。
【００６４】
第５の工程は、少なくとも、接合された各部材の接合部を覆うようにコーティングを施す工程である。
【００６５】
これにより、本発明の第２の構造体は、接合された各部材の接合部を覆うコーティングを備えることができ、これにより、接合部の強度または防水性が向上する。上述したコーティングの材料は、少なくとも防水性を有することが好ましい。コーティングの材料が防水性を有することにより、各部材の接合部から雨水などが浸入するのを防止することが可能となる。また、水上に浮遊する際にも、各部材の接合部から水が浸入するのを防止することが可能となる。
【００６６】
このように、本発明の第１の構造体は、少なくとも１つの天井部材、少なくとも４つの壁部材、および少なくとも１つの床部材を有し、それぞれの部材が発泡体から成り、かつ、隣接する部材と接合された接合縁を有するものであれば、その他の構成は特に限定されるものではないが、以下の実施形態１では、第１の構造体として、２つの天井部材と、４つの壁部材と、２つの床部材とを有するものを挙げる。
【００６７】
また、本発明の第２の構造体は、拡張可能なものであって、複数の天井部材、複数の壁部材、および複数の床部材とともに、少なくとも１つの拡張用天井部材と、少なくとも１つの拡張用床部材とを有し、それぞれの部材が発泡体から成り、拡張された天井部が、２つの天井部材の間に少なくとも１つの拡張用天井部材が接合されることにより形成され、拡張された床部が、２つの床部材の間に少なくとも１つの拡張用床部材が接合されることにより形成され、拡張された天井部および拡張された床部が複数の壁部材に接合されたものであれば、その他の構成は限定されるものではないが、以下の実施形態２では、第２の構造体として、２つの天井部材、６つの壁部材、および２つの床部材とともに、２つの拡張用天井部材および２つの拡張用床部材を有するものを挙げる。
【００６８】
以下、本発明の実施形態について図面を参照しながら説明する。
【００６９】
（実施形態１）
図２は、本発明の実施形態１による構造体１００を説明するための図であり、図２（ａ）は、構造体１００の外観を示し、図２（ｂ）は、図２（ａ）に示す構造体１００における構成部材の輪郭を示し、図２（ｃ）は、図２（ａ）に示す構造体１００を個々の構成部材に分離した状態を示す。
【００７０】
図２に示す構造体（第１の構造体）１００の壁には、出入口１０および窓２０が形成されている。ここで、構造体１００は、２つの天井部材と、４つの壁部材と、２つの床部材とを有する。
【００７１】
２つの天井部材は、図２（ｃ）の紙面手前側の前天井部材（第１の天井部材）１１０ａおよび図２（ｃ）の紙面奥手側の後天井部材（第２の天井部材）１１０ｂである。
【００７２】
４つの壁部材は、前壁部材（第１の壁部材）１２０ａ、後壁部材（第２の壁部材）１２０ｂ、左壁部材（第３の壁部材）１２０ｃ、および右壁部材（第４の壁部材）１２０ｄである。前壁部材１２０ａは、図２（ａ）のＸ方向から構造体１００を見たときの正面に位置する壁部材であり、左壁部材１２０ｃおよび右壁部材１２０ｄはそれぞれ、前壁部材１２０ａの左右両側に位置しており、後壁部材１２０ｂは、図２（ａ）のＸ方向から構造体１００を見たときに構造体１００の後側に位置している壁部材である。
【００７３】
２つの床部材は、図２（ｃ）の紙面手前側の前床部材（第１の床部材）１３０ａおよび図２（ｃ）の紙面奥手側の後床部材（第２の天井部材）１３０ｂである。
【００７４】
ここで、各部材は、発泡ポリスチレン（発泡スチロール）などの発泡体で構成されており、床部材の発泡倍率は、壁部材および天井部材の発泡倍率よりも小さくなっている。
【００７５】
具体的には、発泡スチロールは、通常は、発泡原料を５倍（硬く、空気層が少ない状態）から９０倍（柔らかく、空気層が多い状態）程度の発泡倍率で発泡させるものであり、一般の保冷箱の発泡倍率は、発泡原料に対して約６０倍である。
【００７６】
例えば、構造体の各部材には、発泡原料に対する倍率（発泡倍率）が約１０倍〜約６０倍である発泡体が用いられる。例えば、構造体の下部（床部材）の発泡倍率が約２０倍〜約３０倍である場合、構造体の上部（壁部材および天井部材）の発泡倍率は約４０倍に設定される。
【００７７】
構造体の下部（床部材）と構造体の上部（壁部材および天井部材）とで発泡倍率を対比すると、上部（壁部材および天井部材）の発泡倍率は、下部（床部材）の発泡倍率の約１．５倍〜約４倍であり、より具体的には、下部（床部材）の発泡倍率の約１．５倍〜約２倍である。
【００７８】
ここで、発泡体の発泡倍率を低くし過ぎると、発泡体の強度が増すというメリットがあるが、発泡原料を多く必要とするため、発泡体はより重くなる。この場合、部材の運搬に不利であり、よりコストアップを招くことになり、加工もしにくくなる。さらに、部材に含まれる空気の比率が低くなるため、断熱性が落ちる。
【００７９】
逆に、発泡体の発泡倍率を高くし過ぎると、発泡体の断熱性が上がる、低コストになる、というメリットはあるが、発泡体の強度や耐久性が落ちるという弊害が生ずる。
従って、構造体を構成する各部材には、メリットとデメリットを考慮して最適な発泡倍率の発泡体を用いる必要がある。
【００８０】
２つの天井部材と、４つの壁部材と、２つの床部材とがそれぞれ発泡体で構成されていることにより、構造体（第１の構造体）１００は、水上浮遊可能となる。
【００８１】
また、この場合、構造体を構成する各部の素材が同じであるので、接着される部材の双方に対して同じ接着力が作用する。
【００８２】
例えば、木材と発泡材、鉄材と発泡材、レンガと発泡材、というように、接着される部材の双方で素材が異なる場合、接着剤だけでは接着が不可能なことが多く、接着剤による接着が可能だとしてもどちらかの部材が剥がれ易くなる可能性が高い。
【００８３】
例えば、発泡材に最適な接着剤でも木材には最適とは限らない。その場合、接着される部材の双方で接着剤による接着力に差が出る。この接着力の差は、構造体の強度や耐久力に影響する。さらに、構造体を構成する部材で素材が異なる場合、構造体を構成する各部材の表面に施されるコーティングでもその強度、耐久力などに影響が出るおそれがある。
また、構造体の各部を構成する発泡体としての発泡ポリスチレンは、水、紫外線、薬品、高温などの劣化要因の影響を受けなければ、劣化しにくく大変長持ちする素材であり、それらの劣化要因の影響はコーティングにより防ぐことができる。
【００８４】
以下、各部材の具体的な構造を説明する。
【００８５】
まず、第１の壁部材〜第４の壁部材を説明する。
【００８６】
図３は、図２に示す構造体１００の前後の壁部材を説明するための平面図であり、図３（ａ）は、図２（ｃ）の紙面手前側に位置する前壁部材１２０ａの外面を示し、図３（ｂ）は、図２（ｃ）の紙面奥手側に位置する後壁部材１２０ｂの外面を示す。
【００８７】
（第１の壁部材（前壁部材）１２０ａ）
前壁部材１２０ａは、一対の前壁部材左片１２０ａ１および前壁部材右片１２０ａ２で構成されており、前壁部材左片１２０ａ１および前壁部材右片１２０ａ２の上端縁は、前天井部材１１０ａに接合される第１の接合縁１２１ａとなっており、この上端縁の端面には線状突起２１ａが形成されている。前壁部材左片１２０ａ１および前壁部材右片１２０ａ２の下端縁は、前床部材１３０ａに接合される第２の接合縁１２２ａとなっており、この下端縁の端面には線状溝２２ａが形成されている。
【００８８】
前壁部材左片１２０ａ１の左端縁は、左壁部材１２０ｃに接合される第３の接合縁１２３ａとなっており、この左端縁の端面には線状突起２３ａが形成されている。前壁部材左片１２０ａ１の右側縁には、出入口１０を形成する開口に沿った開口枠１０ａが形成されている。
【００８９】
前壁部材右片１２０ａ２の右端縁は、右壁部材１２０ｄに接合される第４の接合縁１２４ａとなっており、この右端縁の端面には、線状突起２４ａが形成されている。前壁部材右片１２０ａ２の左側縁には、出入口１０を形成する開口に沿った開口枠１０ａが形成されている。
【００９０】
なお、前壁部材１２０ａでは、高さが約１．５ｍ、幅が約４ｍであり、出入口１０のサイズは、高さが約２ｍ、幅が約１ｍとなっている。ただし、前壁部材１２０ａの寸法はこれに限定されるものではない。トラックなどの車両で運搬可能で、人が持てるサイズであれば、実用上問題はない。
【００９１】
（第２の壁部材（後壁部材）１２０ｂ）
後壁部材１２０ｂの上側縁は、後天井部材１１０ｂに接合される第２の接合縁１２１ｂとなっており、この上端縁の端面には、線状突起２１ｂが形成されている。
【００９２】
後壁部材１２０ｂの下端縁は、後床部材１３０ｂに接合される第２の接合縁１２２ｂとなっており、この下端縁の端面には、線状溝２２ｂが形成されている。
【００９３】
後壁部材１２０ｂの左端縁は、右壁部材１２０ｄに接合される第３の接合縁１２３ｂとなっており、この左端縁の端面には、線状突起２３ｂが形成されている。
【００９４】
後壁部材１２０ｂの右端縁は、左壁部材１２０ｃに接合される第４の接合縁１２４ｂとなっており、この右端縁の端面には、線状突起２４ｂが形成されている。
【００９５】
なお、後壁部材１２０ｂは、前壁部材１２０ａと同様の高さ（約１．５ｍ）と幅（約４ｍ）とを有している。
【００９６】
図４は、図２に示す構造体１００の横壁部材を説明するための平面図であり、図４（ａ）は、図２（ｃ）の紙面左側に位置する横壁部材（左壁部材）１２０ｃの外面を示し、図４（ｂ）は、図２（ｃ）の紙面右側に位置する横壁部材（右壁部材）１２０ｄの外面を示す。
【００９７】
（第３の壁部材（左壁部材）１２０ｃ）
左壁部材１２０ｃの上端縁は、前天井部材１１０ａおよび後天井部材１１０ｂに接合される第１の接合縁１２１ｃとなっており、この上端縁の端面には、線状突起２１ｃが形成されている。
【００９８】
左壁部材１２０ｃの下端縁は、前床部材１３０ａおよび後床部材１３０ｂに接合される第２の接合縁１２２ｃとなっており、この下端縁の端面には、線状溝２２ｃが形成されている。
【００９９】
左壁部材１２０ｃの左端縁は、後壁部材１２０ｂに接合される第３の接合縁１２３ｃとなっており、この左端縁の内側面には、線状溝２３ｃが形成されている。
【０１００】
左壁部材１２０ｃの右端縁は、前壁部材１２０ａに接合される第４の接合縁１２４ｃとなっており、この右端縁の内側面には、線状溝２４ｃが形成されている。
【０１０１】
左壁部材１２０ｃは、約１．５ｍの高さと、約４ｍの長さとを有する。ただし、左壁部材１２０ｃの寸法はこれに限定されるものではない。トラックなどの車両で運搬可能で、人が持てるサイズであれば、実用上問題はない。
【０１０２】
（第４の壁部材（右壁部材）１２０ｄ）
右壁部材１２０ｄの上端縁は、前天井部材１１０ａおよび後天井部材１１０ｂに接合される第１の接合縁１２１ｄとなっており、この上端縁の端面には、線状突起２１ｄが形成されている。また、右壁部材１２０ｄには、窓となる切欠き部に沿って窓枠２０ａが形成されている。
【０１０３】
右壁部材１２０ｄの下端縁は、前床部材１３０ａおよび後床部材１３０ｂに接合される第２の接合縁１２２ｄとなっており、この下端縁の端面には、線状溝２２ｄが形成されている。
【０１０４】
右壁部材１２０ｄの左端縁は、前壁部材１２０ａに接合される第３の接合縁１２３ｄとなっており、この左端縁の内側面には、線状溝２３ｄが形成されている。
【０１０５】
右壁部材１２０ｄの右端縁は、後壁部材１２０ｂに接合される第４の接合縁１２４ｄとなっており、この右端縁の内側面には、線状溝２４ｄが形成されている。
【０１０６】
右壁部材１２０ｄは、左壁部材１２０ｃと同様、約１．５ｍの高さと、約４ｍの長さとを有する。また、窓を形成するための切り欠き部分の寸法は、高さが約９００ｍｍ、幅が約１０００ｍｍの寸法となっている。ただし、窓を形成するための切り欠き部分の寸法は、窓の大きさにより決まるものであり、右壁部材１２０ｄの高さと長さの範囲で自由に設定することができる。
【０１０７】
図５は、図２に示す構造体１００の天井部材を説明するための平面図であり、図５（ａ）は、図２（ｃ）の紙面手前側に位置する前天井部材１１０ａを上方から見た構造を示し、図５（ｂ）は、図２（ｃ）の紙面奥手側に位置する後天井部材１１０ｂを上方から見た構造を示す。
【０１０８】
（第１の天井部材（前天井部材）１１０ａ）
前天井部材１１０ａの前端縁は、前壁部材１２０ａに接合される第１の接合縁１１１ａとなっており、この前端縁の下側面には、線状溝１１ａが形成されている。
【０１０９】
前天井部材１１０ａの後端縁は、後天井部材１１０ｂに接合される第２の接合縁１１２ａとなっており、この後端縁の端面には、線状突起１２ａが形成されている。
【０１１０】
前天井部材１１０ａの左端縁は、左壁部材１２０ｃに接合される第３の接合縁１１３ａとなっており、この左端縁の下側面には、線状溝１３ａが形成されている。
【０１１１】
前天井部材１１０ａの右端縁は、右壁部材１２０ｄに接合される第４の接合縁１１４ａとなっており、この右端縁の下側面には、線状溝１４ａが形成されている。
【０１１２】
前天井部材１１０ａは、約４ｍの幅と、約２ｍの長さ（奥行方向の寸法）を有するが、これに限定されるものではない。トラックなどの車両で運搬可能なサイズであれば、実用上問題はない。
【０１１３】
（第２の天井部材（後天井部材１１０ｂ）
後天井部材１１０ｂの前端縁は、前天井部材１１０ａに接合される第１の接合縁１１１ｂとなっており、この前端縁の端面には、線状溝１１ｂが形成されている。
【０１１４】
後天井部材１１０ｂの後端縁は、後壁部材１２０ｂに接合される第２の接合縁１１２ｂとなっており、この後端縁の下側面には、線状溝１２ｂが形成されている。
【０１１５】
後天井部材１１０ｂの左端縁は、左壁部材１２０ｃに接合される第３の接合縁１１３ｂとなっており、この左端縁の下側面には、線状溝１３ｂが形成されている。
【０１１６】
後天井部材１１０ｂの右端縁は、右壁部材１２０ｄに接合される第４の接合縁１１４ｂとなっており、この右端縁の下側面には、線状溝１４ｂが形成されている。
【０１１７】
図６は、図２に示す構造体１００の床部材を説明するための平面図であり、図６（ａ）は、図２（ｃ）の紙面手前側に位置する前床部材１３０ａを上方から見た構造を示し、図６（ｂ）は、図２（ｃ）の紙面奥手側に位置する後床部材１３０ｂを上方から見た構造を示す。
【０１１８】
（第１の床部材（前床部材１３０ａ））
前床部材１３０ａは、長方形状の床板１０３ａと、床板の前縁、左縁、および右縁から床板１０３ａを囲むように立ち上がるコ字型の腰壁３ａとを有し、床板１０３ａと腰壁３ａとは、一体成形されており、継目がない。
【０１１９】
また、腰壁３ａの前縁部の上端縁が、前壁部材１２０ａに接続される第１の接合縁１３１ａとなっており、この上端縁には、出入口１０を形成する切欠部の両側に位置するように線状突起３１ａが形成されている。
【０１２０】
ここで、出入口１０を形成する切欠部は、腰壁３の上端部から切り込まれた部分であり、出入口１０では、腰壁３ａの高さが他の部分（出入口１０の設けられていない部分）に比べて低くなるか、腰壁３ａが完全に除去された状態となる。このため、構造体１００が水上に設置される場合、出入口１０が、水が浸入し得る経路となることがある。例えば、出入口１０は、出入口１０を形成する切欠部の深さをできるだけ浅くするか、あるいは、このような切欠部を形成しないようにするか、あるいは、切欠部の少なくとも一部を塞ぐ堰を設けることができる。これにより、出入口１０からの水の浸入を防止することができる。あるいは、前床部材１３０ａのうちの出入口１０の形成される部分では、腰壁３ａに切欠部を形成するのとは逆に、腰壁３ａ上に水の浸入を阻止するための堰を設けることもできる。
【０１２１】
いずれにしても、前床部材１３０ａのうちの出入口１０が形成される部分では、腰壁３ａに切欠部を形成した場合の腰壁３ａの高さ、腰壁３ａの切欠部を堰で塞いだ場合の堰の高さ、腰壁３ａに切欠部を形成しない場合の腰壁３ａの高さ、あるいは腰壁３ａとその上に形成した堰部との合計の高さとして、少なくとも、前床部材１３０ａの下面から約２０ｃｍ〜約３０ｃｍｍの高さを確保しておくことが好ましい。
また、前床部材１３０ａの後端縁は、後床部材１３０ｂに接合される第２の接合縁１３２ａとなっており、この後側縁の端面には線状溝３２ａが形成されている。具体的には、前床部材１３０ａの第２の接合縁１３２ａは、床板１０３ａの後端縁と、腰壁３ａの後端縁とで構成されており、線状溝３２ａは、床板１０３ａの後端縁の端面と、腰壁３ａの後端縁の端面とに跨るように形成されている。
【０１２２】
また、腰壁３ａの左側部の上端縁が、左壁部材１２０ｃに接続される第３の接合縁１３３ａとなっており、この上端縁には、線状突起３３ａが形成されている。
【０１２３】
腰壁３ａの右側部の上端縁が、右壁部材１２０ｄに接続される第４の接合縁１３４ａとなっており、この上端縁には、線状突起３４ａが形成されている。
【０１２４】
床部材は、約４ｍの幅と、約２ｍの長さ（奥行方向の寸法）とを有している。また、腰壁の高さは約６５０ｍｍである。
【０１２５】
ただし、床部材の１３０ａの寸法（幅、長さ）はこれに限定されるものではない。トラックなどの車両で運搬可能で、人が持てるサイズであれば、実用上問題はない。また、腰壁の高さも限定されるものではないが、あまり腰壁の高さが高いと運搬する際に積載し難くなるので、せいぜい約８００ｍｍである。また、出入口での腰壁の高さが低いと、水害時に床上浸水の恐れが増大するので、少なくとも約２００ｍｍの高さを確保しておく必要がある。
【０１２６】
（第２の床部材（後床部材１３０ｂ））
後床部材１３０ｂは、長方形状の床板１０３ｂと、床板の後縁、左縁、および右縁から床板１０３ｂを囲むように立ち上がるコ字型の腰壁３ｂとを有し、床板１０３ｂと腰壁３ｂとは、一体成形されており、継目がない。
【０１２７】
後床部材１３０ｂの前端縁は、前床部材１３０ａに接合される第１の接合縁１３１ｂとなっており、この前側縁の端面には線状突起３１ｂが形成されている。具体的には、後床部材１３０ｂの第１の接合縁１３１ｂは、床板１０３ｂの前端縁と、腰壁３ｂの前端縁とで構成されており、線状突起３１ｂは、床板１０３ｂの前端縁の端面と、腰壁３ｂの前端縁の端面とに跨るように形成されている。
【０１２８】
腰壁３ｂの後縁部の上端縁は、後壁部材１２０ｂに接合される第２の接合縁１３２ｂとなっており、この後側縁の端面には線状突起３２ｂが形成されている。
【０１２９】
また、腰壁３ｂの左側部の上端縁が、左壁部材１２０ｃに接続される第３の接合縁１３３ｂとなっており、この上端縁には、線状突起３３ｂが形成されている。
【０１３０】
腰壁３ｂの右側部の上端縁が、右壁部材１２０ｄに接続される第４の接合縁１３４ｂとなっており、この上端縁には、線状突起３４ｂが形成されている。
【０１３１】
なお、後床部材１３０ｂの寸法は、前床部材１３０ａの寸法と同じである。
【０１３２】
次に、上述した各部材により組み立てられている構造体１００の構造を、断面図を用いて説明する。
【０１３３】
図７は、図２（ａ）に示す構造体１００の構造を具体的に説明するための図であり、図７（ａ）は、図２（ａ）に示す構造体１００をＸ方向から見た構造を示す側面図、図７（ｂ）は、図２（ａ）に示す構造体１００をＹ方向から見た構造を示す側面図、図７（ｃ）は、図７（ｂ）のＶＩＩｃ−ＶＩＩｃ線断面図、図７（ｄ）は、図７（ｂ）のＶＩＩｄ−ＶＩＩｄ線断面図である。
【０１３４】
図７（ｃ）には、４つの壁部材のうちの隣接するもの同士が対向する接合縁で接合されていることが示されている。
【０１３５】
すなわち、前壁部材１２０ａの第３の接合縁１２３ａと、左壁部材１２０ｃの第４の接合縁１２４ｃとが接合されており、第３の接合縁１２３ａの端面に形成された線状突起２３ａが第４の接合縁１２４ｃの内側面に形成された線状溝２４ｃに嵌合している。
【０１３６】
前壁部材１２０ａの第４の接合縁１２４ａと、右壁部材１２０ｄの第３の接合縁１２３ｄとが接合されており、第４の接合縁１２４ａの端面に形成された線状突起２４ａが第３の接合縁１２３ｄの内側面に形成された線状溝２３ｄに嵌合している。
【０１３７】
後壁部材１２０ｂの第３の接合縁１２３ｂと、右壁部材１２０ｄの第４の接合縁１２４ｄとが接合されており、第３の接合縁１２３ｂの端面に形成された線状突起２３ｂが第４の接合縁１２４ｄの内側面に形成された線状溝２４ｄに嵌合している。
【０１３８】
後壁部材１２０ｂの第４の接合縁１２４ｂと、左壁部材１２０ｃの第３の接合縁１２３ｃとが接合されており、第４の接合縁１２４ｂの端面に形成された線状突起２４ｂが第３の接合縁１２３ｂの内側面に形成された線状溝２３ｃに嵌合している。
【０１３９】
図７（ｄ）には、左壁部材１２０ｃおよび右壁部材１２０ｄが、後天井部材１１０ｂと後床部材１３０ｂとに接続されていることが示されている。
【０１４０】
すなわち、左壁部材１２０ｃの第１の接合縁１２１ｃと、後天井部材１１０ｂの第３の接合縁１１３ｂとが接合され、第１の接合縁１２１ｃの端面に形成された線状突起２１ｃが第３の接合縁１１３ｂの端面に形成された線状溝１３ｂに嵌合している。
【０１４１】
左壁部材１２０ｃの第２の接合縁１２２ｃと、後床部材１３０ｂの第３の接合縁１３３ｂとが接合され、第２の接合縁１２２ｃの端面に形成された線状溝２２ｃが第３の接合縁１３３ｂの端面に形成された線状突起３３ｂに嵌合している。
【０１４２】
右壁部材１２０ｄの第２の接合縁１２２ｄと、後床部材１３０ｂの第４の接合縁１３４ｂとが接合され、第２の接合縁１２２ｄの端面に形成された線状溝２２ｄが第４の接合縁１３４ｂの端面に形成された線状突起１３４ｂに嵌合している。
【０１４３】
図８は、図２（ａ）に示す構造体１００の構造を具体的に説明するための図であり、図８（ａ）は、図２（ａ）に示す構造体１００をＺ方向から見た構造を示す平面図、図８（ｂ）は、図８（ａ）のＶＩＩＩｂ−ＶＩＩＩｂ線断面図である。
【０１４４】
図８（ｂ）には、前天井部材１１０ａと後天井部材１１０ｂとの接合状態、前床部材１３０ａと後床部材１３０ｂとの接合状態、前壁部材１２０ａと前床部材１３０ａとの接合状態、並びに、後壁部材１２０ｂと後天井部材１１０ｂおよび後床部材１３０ｂとの接合状態が示されている。
【０１４５】
すなわち、前壁部材１２０ａの第２の接合縁１２２ａと、前床部材１３０ａの第１の接合縁１３１ａとが接合され、第２の接合縁１２２ａの端面に形成されている線状突起２２ａが第１の接合縁１３１ａの端面に形成されている線状突起３１ａに嵌合している。
【０１４６】
後壁部材１２０ｂの第１の接合縁１２１ｂと、後天井部材１１０ｂの第２の接合縁１１２ｂとが接合され、第１の接合縁１２１ｂの端面に形成されている線状突起２１ｂが第２の接合縁１１２ｂの端面に形成されている線状溝１２ｂに嵌合している。
【０１４７】
後壁部材１２０ｂの第２の接合縁１２２ｂと、後床部材１３０ｂの第２の接合縁１３２ｂとが接合され、第２の接合縁１２２ｂの端面に形成されている線状溝２２ｂが第２の接合縁１３２ｂの端面に形成されている線状突起３２ｂに嵌合している。
【０１４８】
前天井部材１１０ａの第２の接合縁１１２ａと、後天井部材１１０ｂの第１の接合縁１１１ｂとが接合され、第２の接合縁１１２ａの端面に形成されている線状突起１２ａが第１の接合縁１１１ｂの端面に形成されている線状溝１１ｂに嵌合している。
【０１４９】
前床部材１３０ａの第２の接合縁１３２ａと、後床部材１３０ｂの第１の接合縁１３１ｂとが接合され、第２の接合縁１３２ａの端面に形成されている線状溝３２ａが後床部材１３０ｂの第１の接合縁１３１ｂの端面に形成されている線状突起３１ｂに嵌合している。
【０１５０】
図７および図８で説明したように、本実施形態１の構造体１００を構成する複数の部材のうちの隣接する部材は、隣接する部材の対向する接合縁の一方に形成された線状突起と隣接する部材の対向する接合縁の他方に形成された線状溝とが嵌合することにより接合されている。また、隣接する部材の接合縁は接着剤により固着されている。接着剤は、発泡体を接着可能な任意の接着剤であり得る。例えば、接着剤は、１液型ウレタン樹脂系接着剤であるが、これに限定されず、発泡体を溶かす溶剤が含まれていない接着剤であれば利用可能である。また、接着剤は２液混合型よりは１液型が好ましい。構造体の各部の接着面のように接着面積が広い接着面に接着剤を塗布する場合は、１液型の方が作業時間の点で圧倒的に有利であるからである。
【０１５１】
なお、接合部の形状は、上述した線状突起および線状溝に限られず、他の任意の形状を有することができる。
【０１５２】
（実施形態１の変形例）
なお、上述した実施形態１の構造体１００では、左右の壁部材（左壁部材１２０ｃおよび右壁部材１２０ｄ）として、前後の天井部材（あるいは前後の床部材）に跨るサイズ（構造体１００の奥行方向の長さ）を有する壁部材を用いているが、実施形態１の構造体１００に用いられる壁部材のサイズは、前後の天井部材（あるいは前後の床部材）に跨るサイズのものに限定されない。
【０１５３】
図９は、図２（ａ）に示す構造体１００の変形例１の構造体１００ａを説明するための図であり、図９（ａ）は、図８（ａ）に示すＶＩＩＩｂ−ＶＩＩＩｂ線断面に相当する断面における構造体１００ａの構造を示し、図９（ｂ）は、図７（ｃ）に示すＶＩＩｃ−ＶＩＩｃ線断面における構造体１００ａの構造を示す。
【０１５４】
この変形例１の構造体１００ａは、実施形態１の構造体１００における左壁部材１２０ｃを、この左壁部材１２０ｃを幅方向（図９（ｂ）の紙面上下方向）に沿った分割線で２分割して得られる２つの短尺左壁部材１２０ｃ１および１２０ｃ２に置き換え、さらに、実施形態１の構造体１００における右壁部材１２０ｄを、この右壁部材１２０ｄを上記の分割線で２分割して得られる２つの短尺右壁部材１２０ｄ１および１２０ｄ２に置き換えたものである。短尺左壁部材１２０ｃ１および短尺右壁部材１２０ｄ１の長さ（奥行方向の寸法）は、前天井部材１１０ａの奥行寸法と等しく、短尺左壁部材１２０ｃ２および短尺右壁部材１２０ｄ２の長さ（奥行方向の寸法）は、後天井部材１１０ｂの奥行寸法と等しい。
【０１５５】
次に、上述した２つの天井部材と、４つの壁部材と、２つの床部材とを組み合わせて構造体１００を組み立てる方法を説明する。
【０１５６】
図１０は、図２に示す構造体１００を組み立てる方法を工程順に説明するための斜視図であり、図１０（ａ）は、構造体１００を組み立てるときの複数の構成部材の配置を示し、図１０（ｂ）は、複数の構成部材を接合した状態を示し、図１０（ｃ）は、接合した複数の構成部材にコーティングを施した状態を示す。
【０１５７】
まず、２つの天井部材として前天井部材１１０ａおよび後天井部材１１０ｂを提供し、４つの壁部材として、前壁部材１２０ａ、後壁部材１２０ｂ、左壁部材１２０ｃ、右壁部材１２０ｄを提供し、２つの床部材として前床部材１３０ａおよび後床部材１３０ｂを提供する。各部材は、発泡体から成るものである。
【０１５８】
次に、前床部材１３０ａの第２の接合縁１３２ａと後床部材１３０ｂの第１の接合縁１３１ｂとを接合する。
【０１５９】
続いて、前床部材１３０ａの第１の接合縁１３１ａに前壁部材１２０ａの第２の接合縁１２２ａを接合するとともに、後床部材１３０ｂの第２の接合縁１３２ｂに後壁部材１２０ｂの第２の接合縁１２２ｂを接合する。
【０１６０】
その後、例えば、前床部材１３０ａの第３の接合縁１３３ａおよび後床部材１３０ｂの第３の接合縁１３３ｂに跨るように左壁部材１２０ｃの第２の接合縁１２２ｃを接合し、さらに、左壁部材１２０ｃの第３の接合縁１２３ｃを後壁部材１２０ｂの第４の接合縁１２４ｂに接合するとともに、左壁部材１２０ｃの第４の接合縁１２４ｃを前壁部材１２０ａの第３の接合縁１２３ａに接合する。
【０１６１】
続いて、前床部材１３０ａの第４の接合縁１３４ａおよび後床部材１３０ｂの第４の接合縁１３４ｂに跨るように右壁部材１２０ｄの第２の接合縁１２２ｄを接合し、さらに、右壁部材１２０ｄの第３の接合縁１２３ｄを前壁部材１２０ａの第４の接合縁１２４ａに接合するとともに、右壁部材１２０ｄの第４の接合縁１２４ｄを後壁部材１２０ｂの第３の接合縁１２３ｂに接合する。
【０１６２】
次に、前天井部材１１０ａを前壁部材１２０ａ、左壁部材１２０ｃおよび右壁部材１２０ｄの上に載せることにより、前天井部材１１０ａの第１の接合縁１１１ａを前壁部材１２０ａの第１の接合縁１２１ａに接合し、前天井部材１１０ａの第３の接合縁１１３ａを左壁部材１２０ｃの第１の接合縁１２１ｃに接合し、前天井部材１１０ａの第４の接合縁１１４ａを右壁部材１２０ｄの第１の接合縁１２１ｄに接合する。
【０１６３】
その後、後天井部材１１０ｂを後壁部材１２０ｂ、左壁部材１２０ｃおよび右壁部材１２０ｄの上に載せることにより、後天井部材１１０ｂの第１の接合縁１１１ｂを前天井部材１１０ａの第２の接合縁１１２ａに接合するとともに、後天井部材１１０ｂの第３の接合縁１１３ｂを左壁部材１２０ｃの第１の接合縁１２１ｃに接合し、さらに、後天井部材１１０ｂの第４の接合縁１１４ｂを右壁部材１２０ｄの第１の接合縁１２１ｄに接合し、最後に、後天井部材１１０ｂの第２の接合縁１１２ｂを後壁部材１２０ｂの第１の接合縁１２１ｂに接合する。
【０１６４】
ここで、各部材の接合縁をこれに対向する他の部材の接合縁に接合する場合、対向する接合縁には接着剤を付け、さらに、対向する接合縁の一方の線状突起を対向する接合縁の他方の線状溝に嵌合させる。
【０１６５】
このようにして図１０（ｂ）に示す構造体１００を組み立てることができる。
【０１６６】
その後、組み立てた構造体１００の表面にウレタン樹脂などを用いてコーティングを施し、さらに塗装仕上げをすることにより、図１０（ｃ）に示すように構成部材のつなぎ目を目立たなくした構造体１００を得ることができる。
【０１６７】
なお、このように実施形態１の構造体１００は、２つの天井部材１１０ａ、１１０ｂと、４つの壁部材１２０ａ〜１２０ｄと、２つの床部材１３０ａ、１３０ｂとを組み合わせて組み立て可能であるので、この構造体の運搬は、構造体の組立前の状態で、つまり、個々の構成部材を運搬しやすい状態にまとめて行うことができる。すなわち、構造体１００は、構造体１００をコンパクトにして運ぶことができるという利点を有している。以下運搬方法を具体的に説明する。
【０１６８】
図１０Ａは、図２に示す構造体１００の組み立てた状態と、構造体１００の構成部材をコンパクトに重ね合わせた状態とを対比して示す斜視図であり、図１０Ａ（ａ）は、構造体１００の個々の構成部材を示し、図１０Ａ（ｂ）は、組み立てられた構造体１００の例示的な外形寸法を示し、図１０Ａ（ｃ）は、構造体１００の個々の構成部材をコンパクトに重ね合わせたときの例示的な外形寸法を示す。
【０１６９】
ここでは、６つの構成部材１１０ａ、１１０ｂ、１２０ａ〜１２０ｄと、１３０ａ、１３０ｂ（図１０Ａ（ａ）参照）を組み立てることにより得られる構造体１００は、図１０Ａ（ｂ）に示すように、幅（Ｗ＝約４．０ｍ）、奥行き（Ｄ＝約４．０ｍ）、および高さ（Ｈ＝約２．９ｍ）の寸法を有する。
【０１７０】
これに対し、６つの構成部材１１０ａ、１１０ｂ、１２０ａ〜１２０ｄと、１３０ａ、１３０ｂ（図１０Ａ（ａ）参照）をコンパクトに重ね合わせることにより得られる重ね合せ体Ｐ１００は、図１０Ａ（ｃ）に示すように、幅（Ｗ１＝約４．０ｍ）、奥行き（Ｄ１＝約２．５ｍ）、および高さ（Ｈ１＝約３．３ｍ）の寸法を有する。
この重ね合せ体Ｐ１００では、一対の床部材１３０ａおよび１３０ｂは、横長になるように対向させて立てた状態となっており、これらの床部材１３０ａおよび１３０ｂの間に、前後左右の４つの壁部材１２０ａ〜１２０ｄが挟み込まれ、さらに、一対の床部材１３０ａおよび１３０ｂの上には前後の天井部材１１０ａおよび１１０ｂが重ねて配置されている。
【０１７１】
このように構造体１００の構成部材を重ね合わせることにより、重ね合せ体Ｐ１００の底面の奥行方向の寸法Ｄ１が、組み立てられた構造体１００の奥行方向の寸法Ｄに比べて短くなり、トラック、トレーラなどの荷物運搬車両の荷台に積み込みやすくなる。
【０１７２】
図１０Ｂは、構造体１００の構成部材をコンパクトに重ね合わせてトレーラ上に積載した状態を示す斜視図である。
【０１７３】
構造体１００の構成部材を重ね合わせることにより得られた重ね合せ体Ｐ１００（図１０Ａ（ｃ）参照）の底面積（Ｗ１×Ｄ１）は、組み立てられた構造体１００の底面積（Ｗ×Ｄ）に比べて縮小されたものとなっているので、図１０Ｂに示すようにトレーラなどで運搬可能となる。このトレーラでの運搬では、トレーラ上の重ね合せ体Ｐ１００の固定は、例えば、樹脂ファイバー、カーボンファイバーなどのベルトＰｂにより行うことが可能である。
【０１７４】
このような実施形態１の構造体１００では、前床部材１３０ａおよび後床部材１３０ｂは床板１０３ａおよび１０３ｂとその周囲を囲む腰壁３ａおよび３ｂとを発泡ポリスチレンなどの発泡体で一体成形することにより得られたものであるので、構造体の床と壁との間の接合部（継ぎ目）が存在しないため、継ぎ目を介しての下からの浸水（例えば、水上に浮かべられたときに下から水が浸入すること、陸地に設置されたときに下から湿気が浸入すること）を回避することが可能となる。例えば、陸地に設置されたときに、水害が発生しても床上浸水を防止することができる。
【０１７５】
また、構造体１００は構造体自体が水に浮く構造となっており、何等かの理由で構造体１００の内部に水が浸入しても、構造体１００自体が浮きとして機能することから水に沈んでしまうことはない。例えば、上述したように、水害が発生しても、水上浮遊することにより、水害の被害を最小限にとどめることができる。
【０１７６】
また、構造体１００は、床部材、壁部材および天井部材の組み合わせで１つの箱体となっているので、コンテナのように、基礎が無くても、概ね水平な場所であれば置くだけで設置することができ、さらに、床部材、壁部材および天井部材はそれぞれ、窓、扉（出入口）、換気口などを形成するための構造を有するものと入れ替え可能であるので、間取り、出入口および窓の位置を自由に選択することができる。
【０１７７】
また、構造体１００は、２つの天井部材１１０ａ、１１０ｂと、４つの壁部材１２０ａ〜１２０ｄと、２つの床部材１３０ａ、１３０ｂとを組み合わせて構造体１００を組み立て可能であるので、この構造体の運搬は、構造体を組立前の状態で、つまり、これらの構成部材をコンパクトに重ね合わせた状態で行うことができ、構造体の運搬が簡単である。
【０１７８】
なお、実施形態１の構造体１００の組み立て方法は上述した順序に限定されるものではなく、予め、２つの床部材の組立体、４つの壁部材の組立体、２つの天井部材の組立体を作製し、その後、２つの床部材の組立体の上に、４つの壁部材の組立体を載せてこれらの組立体を接合し、最後に天井部材の組立体を壁部材の組立体の上に載せて壁部材の組立体に接合するという方法でもよい。
【０１７９】
さらに、実施形態１の構造体１００の床部材に付加的に１つ以上（例えば、２つ）の床部材を用いてデッキ付の構造体を作製してもよい。
【０１８０】
図１１は、図２に示す構造体１００の変形例２を説明するための斜視図であり、例えば水上住宅として適したデッキ付の構造体１００ｂを組み立てる方法を示している。
【０１８１】
図１１に示すように、床部材として、前床部材１３０ａおよび後床部材１３０ｂに加えてデッキ用として余分に２つの床部材１３０ｃおよび１３０ｄを準備する。
【０１８２】
図１０（ａ）に示すようにして、２つの床部材、４つの壁部材および２つの天井部材の組立体としての構造体１００を形成した後、図１１に示すように、構造体１００の前床部材１３０ａの前方側に追加の床部材１３０ｃを取り付け、さらに、構造体１００の右側の側面に前床部材１３０ａおよび後床部材１３０ｂに跨るように追加の床部材１３０ｄを取り付ける。
【０１８３】
これによりデッキ付の構造体１００ｂを得ることができる。
【０１８４】
図１２は、図１１に示す方法で組み立てたデッキ付きの構造体１００ｂを水上住宅として利用している様子を示す斜視図である。
【０１８５】
デッキ付の構造体１００ｂは、構造体として浮力の大きなものとなるので、海上または湖上での水上生活用の住居として適しており、例えば、図１２に示すように陸地に近い沿岸部分にこのデッキ付構造体１００ｂを浮かべて住居として利用することができる。またデッキ部分は、艀などで運んできた荷物を下ろす際、あるいは艀に荷物を積み込む場合の一次的な荷物置き場としても利用できる。
【０１８６】
本発明の構造体の使用場所は、上述したような水上に限定されず、本発明の構造体は、陸地にも設置され得る。本発明の構造体は、例えば、水害が発生しやすい地区、水没する可能性のある地区などに設置されることが好ましい。これらの地区に設置されることで、水上浮遊可能な性質による利点（例えば、浸水しないこと、水没しにくいこと）を享受することができるからである。あるいは、本発明の構造体は、例えば、建物ごとの移動を必要とする地区（例えば、放牧地など）に設置されることが好ましい。これらの地区に設置されることで、軽量な性質による利点（例えば、構造体全体を移動させることが可能であること）を享受することができるからである。
【０１８７】
なお、上述した実施形態１の構造体１００は、定型サイズの居住空間を提供するものであるが、構造体１００の天井部分は前後の天井部材の接合により形成され、構造体１００の床部材は前後の床部材の接合により構成されていることから、前後の天井部材の間に拡張用天井部材を挿入し、前後の床部材の間に拡張用床部材を挿入することにより簡単居住空間を拡張可能であり、以下、実施形態２として実施形態１の構造体１００を拡張した拡張型構造体を説明する。
【０１８８】
（実施形態２）
図１３は、本発明の実施形態２による構造体２００を説明するための図であり、図１３（ａ）は、構造体２００の外観を示し、図１３（ｂ）は、図１３（ａ）に示す構造体２００における構成部材の輪郭を示し、図１３（ｃ）は、図１３（ａ）に示す構造体２００を個々の構成部材に分離した状態を示す。
【０１８９】
図１３に示す構造体（第２の構造体）２００は、拡張可能な構造体であり、構造体２００の壁には、出入口１０、３０および窓２０が形成されている。ここで、構造体２００は、４つの天井部材と、６つの壁部材と、４つの床部材とを有する。出入口１０および窓２０は、図１に示す第１の構造体１００におけるものと同一のものであるが、出入口３０は、第２の構造体２００の前面に位置する出入口１０とは異なり、第２の構造体２００の側面に位置する出入口であり、第２の構造体２００を長手方向（Ｘ方向）に直角の方向（図１３のＹ方向）に拡張する際に、第２の構造体とこれに隣接する構造体との間で居住空間を連結するのに利用される。
【０１９０】
４つの天井部材は、前天井部材（第１の天井部材）２１０ａと、後天井部材（第２の天井部材）２１０ｂと、２つの拡張用天井部材（第３、第４の天井部材）２１０ｃ、２１０ｄとである。
【０１９１】
ここで、前天井部材２１０ａは、図１３（ｃ）の紙面手前側に位置し、後天井部材２１０ｂは、図１３（ｃ）の紙面奥手側に位置し、２つの拡張用天井部材２１０ｃおよび２１０ｄは、前天井部材２１０ａと後天井部材２１０ｂとの間に位置している。２つの拡張用天井部材の１つである第３の天井部材２１０ｃは、前天井部材２１０ａに隣接する前拡張用天井部材２１０ｃであり、２つの拡張用天井部材のもう１つである第４天井部材２１０ｄは、後天井部材２１０ｂに隣接する後拡張用天井部材２１０ｄである。
【０１９２】
６つの壁部材は、前壁部材（第１の壁部材）２２０ａと、後壁部材（第２の壁部材）２２０ｂと、左前壁部材（第３の壁部材）２２０ｃと、右前壁部材（第４の壁部材）２２０ｄと、左後壁部材（第５の壁部材）２２０ｅと、右後壁部材（第６の壁部材）２２０ｆとである。
【０１９３】
ここで、前壁部材２２０ａは、図１３（ａ）のＸ方向から構造体１００を見たときの正面に位置する壁部材であり、後壁部材２２０ｂは、図１３（ａ）のＡ方向から構造体１００を見たときに構造体１００の後側に位置している壁部材である。また、左前壁部材２２０ｃは、図１３（ｃ）の紙面手前左側に位置し、右前壁部材２２０ｄは、図１３（ｃ）の紙面手前右側に位置し、左後壁部材２２０ｅは、図１３（ｃ）の紙面奥手左側に位置し、右後壁部材（第６の壁部材）２２０ｆは、図１３（ｃ）の紙面奥手右側に位置している。
【０１９４】
４つの床部材は、前床部材（第１の床部材）２３０ａと、後床部材（第２の床部材）２３０ｂと、２つの拡張用床部材（第３、第４の床部材）２３０ｃ、２３０ｄとである。
【０１９５】
ここで、前床部材２３０ａは、図１３（ｃ）の紙面手前側に位置し、後床部材２３０ｂは、図１３（ｃ）の紙面奥手側に位置し、２つの拡張用床部材２３０ｃおよび２３０ｄは、前床部材２３０ａと後床部材２３０ｂとの間に位置している。２つの拡張用床部材の１つである第３の床部材２３０ｃは、前床部材２３０ａに隣接する前拡張用床部材であり、２つの拡張用天井部材のもう１つである第４天井部材２３０ｄは、後床部材２３０ｂに隣接する後拡張用床部材である。
【０１９６】
ここで、各部材は、発泡ポリスチレンなどの発泡体で構成されており、床部材の発泡倍率は、壁部材および天井部材の発泡倍率よりも小さくなっている。
【０１９７】
具体的には、この実施形態２の構造体２００における床部材の発泡倍率は、実施形態１の構造体１００における床部材の発泡倍率と同じである。
【０１９８】
また、この実施形態２の構造体２００における壁部材および天井部材の発泡倍率は、実施形態１の構造体１００における壁部材および天井部材の発泡倍率と同じである。
【０１９９】
４つの天井部材と、６つの壁部材と、４つの床部材とがそれぞれ発泡体で構成されていることにより、構造体（第２の構造体）２００は、水上浮遊可能となる。
【０２００】
以下、各部材の具体的な構造を説明する。
【０２０１】
まず、第１の壁部材〜第６の壁部材を説明する。
【０２０２】
（第１の壁部材（前壁部材２２０ａ）、第２の壁部材（後壁部材２２０ｂ））
前壁部材２２０ａおよび後壁部材２２０ｂはそれぞれ、実施形態１の構造体１００における前壁部材１２０ａおよび後壁部材１２０ｂと同一の構造を有する。一方、左前壁部材２２０ｃおよび左後壁部材２２０ｅは、実施形態１の構造体１００における左壁部材１２０ｃとは一部異なる構造を有し、右前壁部材１２０ｄおよび右後壁部材２２０ｆは、実施形態１の構造体１００における右壁部材１２０ｄとは一部異なる構造を有する。
【０２０３】
図１４は、図１３に示す構造体２００の横壁部材を説明するための平面図であり、図１４（ａ）は、図１３（ｃ）の紙面左前側に位置する壁部材（左前壁部材）１２０ｃの外面を示し、図１４（ｂ）は、図１３（ｃ）の紙面右前側に位置する壁部材（右前壁部材）１２０ｄの外面を示す。
【０２０４】
（第３の壁部材（左前壁部材２２０ｃ））
左前壁部材２２０ｃは、図１４（ａ）に示すように、実施形態１の構造体１００における左壁部材１２０ｃの第３の接合縁１２３ｃの内側面に形成されている線状溝２３ｃに代えて、第３の接合縁１２３ｃの端面に線状突起５３ｃを形成したものである。
【０２０５】
（第４の壁部材（右前壁部材２２０ｄ））
右前壁部材２２０ｄは、図１４（ｂ）に示すように、実施形態１の構造体１００における右壁部材１２０ｄの第４の接合縁１２４ｄの内側面に形成されている線状溝２４ｄに代えて、第４の接合縁１２４ｄの端面に線状溝５４ｄを形成したものである。
【０２０６】
（第５の壁部材（左後壁部材２２０ｅ））
左後壁部材２２０ｅは、図１４（ｂ）に示す右前壁部材２２０ｄと同一の構造を有しており、この左後壁部材２２０ｅの第４の接合縁の線状溝が左前壁部材２２０ｃの第３の接合縁１２３ｃの線状突起５３ｃと嵌合するようになっている。
【０２０７】
（第６の壁部材（右後壁部材２２０ｆ））
右後壁部材２２０ｆは、左前壁部材２２０ｃに、前壁部材２２０ａにおける出入口１０と同じ出入口３０を形成するための開口を設けたものであり、この右後壁部材２２０ｆの第３の接合縁の線状突起が右前壁部材２２０ｄの第４の接合縁１２４ｄの線状溝５４ｄと嵌合するようになっている。
【０２０８】
図１５は、図１３に示す構造体２００の天井部材を説明するための平面図であり、図１５（ａ）は、図１３（ｃ）の紙面手前側から２つ目の天井部材（前拡張用天井部材２１０ｃ）を上方から見た構造を示す。
【０２０９】
（第１の天井部材（前天井部材２１０ａ）、第２の天井部材（後天井部材２１０ｂ））
構造体２００における前天井部材２１０ａおよび後天井部材２１０ｂはそれぞれ、実施形態１の構造体１００における前天井部材１１０ａおよび後天井部材１１０ｂと同一の構造を有する。
【０２１０】
（第３の天井部材（前拡張用天井部材２１０ｃ）、第４の天井部材（後拡張用天井部材２１０ｄ））
構造体２００における前拡張用天井部材２１０ｃは、実施形態１の構造体１００における後天井部材１１０ｂの第２の接合縁１１２ｂに代えて、第１の接合縁１１１ｂと同じ湾曲形状とした第２の接合縁２１２ｂを備え、実施形態１の後天井部材１１０ｂの第２の接合縁１１２ｂの下面に形成されていた線状溝１２ｂに代えて、この実施形態２の構造体２００における前拡張用天井部材２１０ｃの第２の接合縁２１２ｂの端面に線状突起４２ｂを形成したものである。
【０２１１】
なお、後拡張用天井部材２１０ｄは、この後拡張用天井部材２１０ｄに通気口４０が形成されている点以外は、前拡張用天井部材２１０ｃと同一の構造を有している。
【０２１２】
図１６は、図１３に示す構造体２００の床部材を説明するための平面図であり、図１３（ｃ）の紙面手前側から２番目に位置する前拡張用床部材２３０ｃを上方から見た構造を示す。
【０２１３】
（第１の床部材（前床部材２３０ａ）、第２の床部材（後床部材２３０ｂ））
構造体２００における前床部材２３０ａおよび後床部材２３０ｂは、実施形態１の構造体１００における前床部材１３０ａおよび後床部材１３０ｂと同じ構造となっている。
【０２１４】
前拡張用床部材２３０ｃは、長方形状の床板２０３ｃと、床板の左側縁、および右側縁から床板２０３ｃを挟んで対向するように立ち上がる一対の腰壁片３ｃとを有し、床板２０３ｃと腰壁片３ｃとは、一体成形されており、継目がない。
【０２１５】
また、腰壁片３ｃの前縁および床板２０３ｃの前縁が、前床部材２３０ａに接続される第１の接合縁２３１ｃとなっており、この第１の接合縁２３１ｃの端面には線状突起６１ｃが形成されている。
【０２１６】
また、腰壁片３ｃの後縁および床板２０３ｃの後縁が、後拡張用床部材２１０ｄに接合される第２の接合縁２３２ｂとなっており、この第２の接合縁２３２ｂの端面には線状溝６２ｃが形成されている。
【０２１７】
なお、後拡張用床部材２１０ｄは前拡張用床部材２１０ｃと同じ構造となっている。
【０２１８】
次に、上述した各部材により組み立てられている構造体２００の構造を、断面図を用いて説明する。
【０２１９】
図１７は、図１３（ａ）に示す構造体２００を具体的に説明するための図であり、図１７（ａ）は、図１３（ａ）に示す構造体２００をＸ方向から見た構造を示す側面図、図１７（ｂ）は、図１３（ａ）に示す構造体２００をＹ方向から見た構造を示す側面図、図１７（ｃ）は、図１７（ｂ）のＸＶＩＩｃ−ＸＶＩＩｃ線断面図、図１７（ｄ）は、図１７（ｂ）のＸＶＩＩｄ−ＸＶＩＩｄ線断面図である。
【０２２０】
図１７（ｃ）には、６つの壁部材のうちの隣接するもの同士が対向する接合縁で接合されていることが示されている。
【０２２１】
すなわち、左前壁部材２２０ｃと左後壁部材２２０ｅとがそれぞれの接合縁で接合されており、左前壁部材２２０ｃと左後壁部材２２０ｅとにより形成される左壁部材は、実施形態１の構造体１００における左壁部材１２０ｃと同様に、前壁部材２２０ａおよび後壁部材２２０ｂに接合されている。
【０２２２】
また、右前壁部材２２０ｄと左後壁部材２２０ｆとがそれぞれの接合縁で接合されており、右前壁部材２２０ｄと右後壁部材２２０ｆにより形成される右壁部材は、実施形態１の構造体１００における右壁部材１２０ｄと同様に、前壁部材２２０ａおよび後壁部材２２０ｂに接合されている。
【０２２３】
図１７（ｄ）には、左後壁部材２２０ｅおよび右後壁部材２２０ｆが後拡張用床部材２１０ｄに接続されていることが示されている。
【０２２４】
図１８は、図１３（ａ）に示す構造体２００を具体的に説明するための図であり、図１８（ａ）は、図１３（ａ）に示す構造体２００をＺ方向から見た構造を示す平面図、図１８（ｂ）は、図１８（ａ）のＸＶＩＩＩｂ−ＸＶＩＩＩｂ線断面図である。
【０２２５】
図１８（ｂ）には、前天井部材２１０ａ、前拡張用天井部材２１０ｃ、後拡張用天井部材２１０ｄ、および後天井部材２１０ｂのうちの隣接するもの同士が接合されている状態が示され、前床部材２３０ａ、前拡張用床部材２３０ｃ、後拡張用床部材２３０ｄ、および後床部材２３０ｂのうちの隣接するもの同士が接合されている状態が示されている。
【０２２６】
また、図１８（ｂ）には、前壁部材２２０ａ、左前壁部材２２０ｃ、左後壁部材２２０ｅ、および後壁部材２２０ｂの各々が、４つの天井部材のうちの隣接するものと接合され、４つの床部材のうちの隣接するものと接合されている状態が示されている。
【０２２７】
（実施形態２の変形例）
なお、上述した実施形態２の構造体２００では、左右の壁部材（左前壁部材２２０ｃ、左後壁部材２２０ｅ、右前壁部材２２０ｄ、および右後壁部材２２０ｆ）として、隣接する２つの天井部材および隣接する２つの床部材に跨るサイズ（構造体２００の奥行方向の長さ）を有する壁部材を用いているが、実施形態２の構造体２００に用いられる横壁部材（左右の壁部材）のサイズは、隣接する２つの天井部材および隣接する２つの床部材に跨るサイズのものに限定されない。
【０２２８】
図１９は、図１３（ａ）に示す構造体２００の変形例の構造体２００ａを説明するための図であり、図１９（ａ）は、図１８（ｂ）に示すＸＶＩＩＩｂ−ＸＶＩＩＩｂ線断面に相当する断面における構造体２００ａの構造を示し、図１９（ｂ）は、図１７（ｃ）に示すＸＶＩＩｄ−ＸＶＩＩ線断面に相当する断面における構造体２００ａの構造を示す。
【０２２９】
この変形例の構造体２００ａは、実施形態２の構造体２００において、左前壁部材２２０ｃを２つの短尺左壁部材２２０ｃ１および２２０ｃ２に置き換え、左後壁部材２２０ｅを２つの短尺左壁部材２２０ｅ１および２２０ｅ２に置き換え、右前壁部材２２０ｄを２つの短尺左壁部材２２０ｄ１および２２０ｄ２に置き換え、右後壁部材２２０ｆを２つの短尺左壁部材２２０ｆ１および２２０ｆ２に置き換えたものである。
【０２３０】
ここで、２つの短尺左壁部材２２０ｃ１および２２０ｃ２は、実施形態２の構造体２００における左前壁部材２２０ｃを２分割して得られたものである。２つの短尺左壁部材２２０ｅ１および２２０ｅ２は、実施形態２の構造体２００における左後壁部材２２０ｅを２分割して得られたものである。２つの短尺左壁部材１２０ｄ１および１２０ｄ２は、実施形態２の構造体２００における右前壁部材２２０ｄを２分割して得られたものである。２つの短尺左壁部材１２０ｆ１および１２０ｆ２は、実施形態２の構造体２００における右前壁部材２２０ｆを２分割して得られたものである。
【０２３１】
このように構造体２００の側面に位置する壁部材のサイズ（構造体の奥行方向の長さ）を短くすることで、構造体２００における拡張サイズを細かい寸法単位で調整することができる。また、複数の壁部材のサイズを揃えることもでき、これにより、複数の壁部材の取扱いが容易になり、運搬効率も向上し得る。
【０２３２】
また、実施形態２の構造体２００の組み立て方法は、実施形態１の構造体１００の組立方法と同様である。
【０２３３】
例えば、まず、前床部材２３０ａと後床部材２３０ｂとの間に拡張用床部材２３０ｃおよび２３０ｄを配置してこれらを接合することにより構造体２００の床部分を作製する。
【０２３４】
次に、床部分の上に前壁部材２２０ａおよび後壁部材２２０ｂを配置して前床部材２３０ａおよび後床部材２３０ｂと接合し、さらに、床部分の上に左前壁部材２２０ｃ、左後壁部材２２０ｅ、右前壁部材２２０ｄ、右後壁部材２２０ｆを配置し、それぞれ、４つの床部材のうちの対応する床部材に接合するとともに、床部材を囲むように配置された６つの壁部材のうちの隣接するもの同士を接合する。
【０２３５】
その後、４つの天井部材を壁部材の上に配置してそれぞれ、６つの壁部材のうちの対向するものに接合するとともに、４つの天井部材の隣接するもの同士を接合する。これらの部材の接合には、対向する接合縁の一方に形成された線状突起と対向する接合縁の他方に形成された線状溝との嵌合および接着剤を用いる。
【０２３６】
このように実施形態２の拡張構造体２００では、実施形態１の構造体１００の効果に加えて、拡張用天井部材２１０ｃ、２１０ｄおよび拡張用床部材２３０ｃ、２３０ｄを用いて奥行方向のサイズを自在に、例えば、理論上は何十メートルにわたっても、拡張することができる。これにより、例えば、構造体１００を複数連結したものと比較して、区切りのない広い内部空間が存在する長い建物を作成することが可能となる。さらに、実施形態１で説明した拡張型ではない構造体（非拡張型構造体）１００と実施形態２の拡張型の構造体２００を組み合わせて用いることで、種々の用途にあった居住空間を形成することができる。
【０２３７】
図２０は、複数の非拡張型構造体１００と複数の拡張型構造体２００を組み合わせて得られる構造体のレイアウトの一例を示す斜視図であり、図２１は、複数の非拡張型構造体と複数の拡張型構造体とを岸壁に係留した桟橋の両側に配置してリゾート施設として利用する場合を説明するための模式図である。
【０２３８】
例えば、図２０に示すように、拡張構造体２００と複数の非拡張型構造体１００とを用いることで、複数の非拡張型構造体１００を繋ぐ居住空間を拡張構造体２００で形成することができ、構造体１００で実現することができる居住空間のレイアウトを拡張でき、構造体１００を用いた居住空間の設計の自由度を向上させることができる。
【０２３９】
また、図２１に示すように複数の非拡張型構造体と複数の拡張型構造体とを、岸壁に係留した桟橋の両側に配置してリゾート施設として利用する場合、利用客の人数に応じて宿泊施設としての規模を、非拡張型構造体により提供される少人数タイプの施設と、拡張型構造体により提供される多人数タイプの施設とで選択することが可能となる。
【０２４０】
上述した例では、構造体を居住目的として利用することを説明したが、構造体の用途は居住用に限定されない。例えば、構造体を防災用に利用することもできる。構造体が水上浮遊可能であるため、例えば水害時に、水没しにくい避難施設として利用することができる。
【０２４１】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した文献は、その内容自体が具体的に本明細書に記載されているのと同様にその内容が本明細書に対する参考として援用されるべきであることが理解される。
【実施例】
【０２４２】
本実施例では、発泡ポリスチレン製の部材を組み立てることによって構造体を作製した。構造体を構成する部材として、２つの天井部材と、４つの壁部材と、２つの床部材とを利用した。床部材として、腰壁を有する床部材を利用した。各部材の接合部は、ウレタン樹脂系接着剤を用いて接合した。組み立てた後、全体をウレタン樹脂材料でコーティングした。
【０２４３】
作製された構造体は、底面積が約２．５ｍ×約４．５ｍであり、高さが約２．６ｍであり、重量が約５００ｋｇであり、これにより、構造体内部に、人が入れる空間が形成された。作成された構造体の底面積と構造体の自重との比は、底面積（ｍ２）：自重（ｋｇ）＝約１：４５であった。
【０２４４】
作製された構造体を水上に浮かべ、実際に人が中に入ると、成人４人が入っても、水が浸入することも、沈没することもなく、余裕で水上に浮遊していた。
【０２４５】
図２２は、作製された構造体を実際に水上に浮かべた際の写真を示す。図２２（ａ）は、作製された構造体の外観を撮影した写真であり、図２２（ｂ）は、作製された構造体の出入口付近を撮影した写真であり、図２２（ｃ）は、作製された構造体の床付近を撮影した写真である。図２２に示されるように、作製された構造体では、出入口からの水の浸入を防止するために、出入口の一部が堰によって塞がれた。堰も発泡材料で作製された。
【産業上の利用可能性】
【０２４６】
本発明は、内部空間を提供する構造体として、水上浮遊可能な構造体を得ることができるものとして有用である。
【符号の説明】
【０２４７】
１０、３０  出入口
１１ａ、１１ｂ、１２ｂ、１３ａ、１３ｂ、１４ａ、１４ｂ、２２ａ〜２２ｄ、２３ｃ、２３ｄ、２４ｃ、２４ｄ、３２ａ、６２ｃ  線状溝（線状凹部）
１２ａ、２１ａ〜２１ｄ、２３ａ、２３ｂ、２４ａ、２４ｂ、３１ａ、３１ｂ、３２ｂ、３３ａ、３３ｂ、３４ａ、３４ｂ、４２ｂ、６１ｃ  線状突起（線状凸部）
２０  窓部
４０  通気口
１００、１００ａ、１００ｂ、２００、２００ａ  構造体
１１０ａ、２１０ａ  前天井部材（第１の天井部材）
１１０ｂ、２１０ｂ  後天井部材（第２の天井部材）
１１１ａ、１１１ｂ、１２１ａ〜１２１ｄ、１３１ａ、１３１ｂ  第１の接合縁
１１２ａ、１１２ｂ、１２２ａ〜１２２ｄ、１３２ａ、１３２ｂ  第２の接合縁
１１３ａ、１１３ｂ、１２３ａ〜１２３ｄ、１３３ａ、１３３ｂ  第３の接合縁
１１４ａ、１１４ｂ、１２４ａ〜１２４ｄ、１３４ａ、１３４ｂ  第４の接合縁
１２０ａ、２２０ａ  前壁部材（第１の壁部材）
１２０ａ１  前壁部材左片
１２０ａ２  前壁部材右片
１２０ｂ、２２０ｂ  後壁部材（第２の壁部材）
１２０ｃ  左壁部材（第３の壁部材）
１２０ｃ１、１２０ｃ２、２２０ｃ１、２２０ｃ２、２２０ｅ１、２２０ｅ２  短尺左壁部材
１２０ｄ  右壁部材（第４の壁部材）
１２０ｄ１、１２０ｄ２、２２０ｄ１、２２０ｄ２、２２０ｆ１、２２０ｆ２  短尺右壁部材
１３０ａ、２３０ａ  前床部材（第１の床部材）
１３０ｂ、２３０ｂ  後床部材（第２の床部材）
１３０ｃ、１３０ｄ  床部材
２１０ｃ、２１０ｄ  拡張用天井部材
２２０ｃ  左前壁部材
２２０ｅ  左後壁部材
２２０ｄ  右前壁部材
２２０ｆ  右後壁部材
２３０ｃ、２３０ｄ  拡張用床部材
【要約】
【課題】本発明の課題は、水上浮遊可能な構造体を得ることである。
【解決手段】本発明の構造体１００は、２つの天井部材１１０ａ、１１０ｂと、４つの壁部材１２０ａ〜１２０ｄと、２つの床部材１３０ａ、１３０ｂとを備え、４つの壁部材の各々は、２つの天井部材に接合された第１の接合縁と、２つの床部材に接合された第２の接合縁と、４つの壁部材のうちの、４つの壁部材の各々に隣接する１つに接合された第３の接合縁と、４つの壁部材のうちの、４つの壁部材の各々に隣接する他の１つに接合された第４の接合縁とを有し、２つの天井部材、４つの壁部材、および２つの床部材の各々は、発泡体から成る。
【選択図】図１【図１】
0006887187.tif 000002
【図２】
0006887187.tif 000003
【図３】
0006887187.tif 000004
【図４】
0006887187.tif 000005
【図５】
0006887187.tif 000006
【図６】
0006887187.tif 000007
【図７】
0006887187.tif 000008
【図８】
0006887187.tif 000009
【図９】
0006887187.tif 000010
【図１０】
0006887187.tif 000011
【図１０Ａ】
0006887187.tif 000012
【図１０Ｂ】
0006887187.tif 000013
【図１１】
0006887187.tif 000014
【図１２】
0006887187.tif 000015
【図１３】
0006887187.tif 000016
【図１４】
0006887187.tif 000017
【図１５】
0006887187.tif 000018
【図１６】
0006887187.tif 000019
【図１７】
0006887187.tif 000020
【図１８】
0006887187.tif 000021
【図１９】
0006887187.tif 000022
【図２０】
0006887187.tif 000023
【図２１】
0006887187.tif 000024
【図２２】
0006887187.tif 000025